(57)【特許請求の範囲】
【請求項１】
複数の開閉自在の綴杆と、
前記綴杆を間隔をおいて設けることができる長さを備えた保持部材と、
各綴杆がその基部において間隔をおいてその表面に固定され、綴杆が保持部材に固定されるように保持部材の内側に可動自在に固定された作動部材と、
前記綴杆を開く方向に付勢する開閉部材とを備えた、綴具であって、
前記作動部材は、保持部材内で保持部材の長手方向に移動する一対の作動片からなり、
一方の作動片には綴杆の一方の基部が固定され、他方の作動片には綴杆の他方の基部が固定され、
前記綴杆は、直接指で閉じられる主綴杆と、該主綴杆の閉じる方向に向けての作動に追動する副綴杆とを有し、
主綴杆を構成する第１の半割杆及び第２の半割杆は、一対の作動片を突き合わせ縁を中心にして揺動させて、第１の半割杆の綴杆係止部と、第２の半割杆の綴杆係止部とを係止することにより、環状に連結され、
副綴杆を構成する第３の半割杆及び第４の半割杆は、一対の作動片を突き合わせ縁を中心にして揺動させて、第３の半割杆の綴杆係止部と第４の半割杆の綴杆係止部とを係止することにより、環状に連結され、
主綴杆と副綴杆とは、その軸方向に沿って閉方向に移動され、自由端の係止部が正規の位置において係止されて綴杆が閉じられるとともに、開方向に移動されて綴杆が開かれるように構成され、
第１の半割杆の綴杆係止部を構成する凸部及び第３の半割杆の綴杆係止部を構成する凸部は、同一方向に向けて突き出し設けられ、先端部から基部側にかけて形成された湾曲凸面を備え、且つ、第１の半割杆の綴杆係止部を構成する凹部及び第３の半割杆の綴杆係止部を構成する凹部は、同一方向に向けて凹み形成され、凸部の後端から基部側にかけて形成された湾曲凹面を備え、
第２の半割杆の綴杆係止部を構成する凸部及び第４の半割杆の綴杆係止部を構成する凸部は、同一方向に向けて突き出し設けられ、先端部から基部側にかけて形成された湾曲凸面を備え、且つ、第２の半割杆の綴杆係止部を構成する凹部及び第４の半割杆の綴杆係止部を構成する凹部は、同一方向に向けて凹み形成され、凸部の後端から基部側にかけて形成された湾曲凹面を備え、
第１の半割杆の凸部の傾斜対向面及び第２の半割杆の凹部の傾斜対向面は、第１の綴杆の軸方向とは斜交するように形成され、開閉するときには、該凸部の傾斜対向面と該凹部の傾斜対向面とが一部で接し、且つ、
第１の半割杆の凸部の傾斜対向面及び第２の半割杆の凸部の傾斜対向面は、第１の綴杆の軸方向とは斜交するように形成され、開閉するときには、該凸部の傾斜対向面と該凸部の傾斜対向面とが一部で接し、
第３の半割杆の凸部の傾斜対向面及び第４の半割杆の凹部の傾斜対向面は、第２の綴杆の軸方向とは斜交するように形成され、開閉するときには、該凸部の傾斜対向面と該凹部の傾斜対向面とが一部で接し、且つ、
第３の半割杆の凸部の傾斜対向面及び第４の半割杆の凸部の傾斜対向面は、第２の綴杆の軸方向とは斜交するように形成され、開閉するときには、該凸部の傾斜対向面と該凸部の傾斜対向面とが一部で接して、
主綴杆の第１の半割杆及び副綴杆の第３の半割杆の先端に形成された綴杆係止部を構成する先端の凸部及びその凸部に続く凹部は、主綴杆の第１の半割杆に係止される第２の半割杆及び副綴杆の前記第３の半割杆に係止される第４の半割杆の先端に形成された綴杆係止部を構成する先端の凸部及びその凸部に続く凹部と、正規の係止位置で係止され、
主綴杆たる第１の綴杆を指で挟んで綴杆を閉じ始めるとき、第２の綴杆の第３の半割杆の凸部と第２の綴杆の第４の半割杆の凹部とが当接する前に、第１の綴杆の第１の半割杆の凸部と第１の綴杆の第２の半割杆の凸部とが当接し、更に第１の綴杆を閉じるように作動させると、第１の綴杆の第１の半割杆の凹部が第２の半割杆の凸部上を摺動するとともに、第１の綴杆の第１の半割杆の凸部が第２の半割杆の凹部に嵌合される正規の係止位置を通り過ぎて、第１の半割杆の凸部が第２の半割杆の凹部の傾斜対向面上を摺動してずり上がるとともに、副綴杆の綴杆係止部が正規の係止位置で係止され、
前記副綴杆の綴杆係止部が正規の係止位置で係止された後、閉じる方向の力から解放された主綴杆は、開閉部材の付勢力により、綴杆係止部が正規の係止位置に戻り係止されるように形成されたことを特徴とする、綴具。
【請求項２】
開閉部材は、ねじりコイルバネからなり、巻線部と巻線部の両端から巻線部の中心軸と直交する方向に伸びる一方の固定先端部と他方の固定先端部とが連設され、
開閉部材の巻線部の両端から延びる一方の固定先端部は、第１の作動片の支持部に係止され、且つ、他方の固定先端部は、及び第２の作動片の支持部に係止されて、支持され、
第１の綴杆を閉じるように作動させると、第２の綴杆の第３の半割杆の凸部が第４の半割杆の凸部の傾斜対向面上を摺動し、更に第１の綴杆の第１の半割杆の凸部が第２の半割杆の凹部の傾斜対向面をずり上がり、第２の綴杆の第３の半割杆の凸部及び第４の半割杆の凸部が第４の半割杆の凹部及び第３の半割杆の凹部に嵌まり込み嵌合し、
その後、第１の綴杆から指を離し閉じる力を解放すると、開閉部材の作用により第１の綴杆はわずかに開く方向に逆戻りして、第１の綴杆は、第２の綴杆と同様に、第１の半割杆の凸部及び第２の半割杆の凸部が第２の半割杆の凹部及び第１の半割杆の凹部に嵌まり込み嵌合するように構成された、請求項１に記載の綴具。
【請求項３】
前記作動部材は、前記綴杆が閉じるときには、保持部材の内面より離れた位置において、その突き合わせ縁が突き合わせた状態において保持され、
前記綴杆が開くときには、保持部材の内面に近づいた方向に向いて保持されるように保持部材に固定され、
前記綴杆を開くときに、作動片を保持部材内で保持部材の長手方向に移動させるとともに、保持部材の内面に近づいた方向に保持されるように、綴杆を開く方向に変化させる開閉部材が設けられた、請求項１ないし２のいずれかに記載の綴具。
【請求項４】
第１の作動片の突き合わせ縁の略中央付近に、空隙部が形成され、且つ、第２の作動片の突き合わせ縁の略中央付近に、空隙部が形成されるとともに、前記第１の作動片の空隙部の一方端には、開閉部材を係止する開閉部材固定部が突設され、且つ、前記第２の作動片の空隙部の一方端には、開閉部材を係止する開閉部材固定部が突設されて、
開閉部材は、前記第１の作動片の開閉部材固定部及び第２の作動片の開閉部材固定部に巻線部の両端が係止されて前記第１の作動片の空隙部及び第２の作動片の空隙部に収納された、請求項１ないし３のいずれかに記載の綴具。
【請求項５】
作動部材は、
開いている綴杆が閉じられるとき、主綴杆の自由端の係止部が係止される正規の位置より更に閉じられる方向に移動する移動距離を規制する移動規制部が形成され、
該移動規制部は、
規制凸起と規制凹部とを有し、
移動規制部を構成する規制凸起が規制凹部内を移動して、規制凹部における綴杆係止部の外れる方向とは反対側の端縁に当接するように形成され、
綴杆を閉じるとき、第１の綴杆の第１の半割杆の凸部が第２の半割杆の凹部に嵌合される正規の停止位置を通り過ぎて、第１の半割杆の凸部が第２の半割杆の凹部の傾斜対向面上を摺動してずり上がりオーバーランするとき、第１の綴杆の移動距離を規制して適宜な位置でオーバーランを停止させる、請求項１ないし４のいずれかに記載の綴具。
【請求項６】
第１の作動片及び第２の作動片の長手方向への移動を規制する移動規制部が形成され、
前記移動規制部は、第１の作動片の突き合わせ縁及び第２の作動片の突き合わせ縁に形成された規制凹部と規制凸起とから形成され、
前記規制凹部は、開閉部材固定部の外側近傍において、突き合わせ縁より幅方向において凹んだ穴であり、前記規制凸起は、前記規制凹部と遊嵌するように形成された凸起であり、規制凹部に規制凸起が遊嵌されて、規制凹部内において第１の作動片及び第２の作動片がその長手方向に互い違いに移動するように形成された、請求項５に記載の綴具。
【発明の詳細な説明】
【技術分野】
【０００１】
この発明は、綴具に関し、特にたとえば、リングバインダないしファイルとして用いられる綴具に関する。
【背景技術】
【０００２】
この発明の背景となる従来のバインダとして、例えば特開平１０−３３７９８８号に開示されたリングバインダがあるが、このリングバインダは、略環状の綴杆が中央で噛み合って閉じられるように形成され、例えばリングを手で開閉する場合、略環状の綴杆を構成する一対の略半円形状の綴杆を、両者が離間するように指で引っ張ることにより、綴杆が開くように形成されている。【０００３】
また、この発明の背景となる従来の綴具の一例が、たとえば特開２００４−２５５８３５号公報に開示されている。この公報に開示されている綴具では、綴杆が取付けられた作動部材が、保持部材に設けられた保持用凸部などで保持されている。
【特許文献１】特開平１０−３３７９８８号
【特許文献２】特開２００４−２５５８３５号
【発明の開示】
【発明が解決しようとする課題】
【０００４】
しかしながら、この特開平１０−３３７９８８号のリングバインダは、略環状の綴杆を指で閉じるとき、一つの綴杆を指で挟んで閉じた場合、指で閉じられた綴杆以外の綴杆が閉じにくいことがある。
また、従来のリングファイルの、いわゆる立ち梃子型の綴具は、被綴じ物を略環状の綴杆に数多く閉じたとき、立ち梃子の内側を下方に押して綴杆を開くように構成されているが、立ち梃子を被綴じ物側から外側に向けて押して綴杆を開こうとしたとき、被綴じ物が障害となって、指で立ち梃子を押しにくいという問題がある。【０００５】
上述の特開２００４−２５５８３５号公報の綴具は、作動部材が保持部材に設けられた保持用凸部などで保持されるが、保持部材に保持用凸部を設けるのは大変煩雑であるので、全体の製造が複雑となり手間がかかる。【０００６】
それゆえに、この発明の主たる目的は、綴具の綴杆を手で操作することにより、比較的容易に開閉することができ、製造もし易い綴具を提供することである。
【課題を解決するための手段】
【０００７】
この発明の請求項１にかかる綴具は、複数の開閉自在の綴杆と、前記綴杆を間隔をおいて設けることができる長さを備えた保持部材と、各綴杆がその基部において間隔をおいてその表面に固定され、綴杆が保持部材に固定されるように保持部材の内側に可動自在に固定された作動部材と、前記綴杆を開く方向に付勢する開閉部材とを備えた、綴具であって、前記作動部材は、保持部材内で保持部材の長手方向に移動する一対の作動片からなり、一方の作動片には綴杆の一方の基部が固定され、他方の作動片には綴杆の他方の基部が固定され、前記綴杆は、直接指で閉じられる主綴杆と、該主綴杆の閉じる方向に向けての作動に追動する副綴杆とを有し、主綴杆を構成する第１の半割杆及び第２の半割杆は、一対の作動片を突き合わせ縁を中心にして揺動させて、第１の半割杆の綴杆係止部と、第２の半割杆の綴杆係止部とを係止することにより、環状に連結され、副綴杆を構成する第３の半割杆及び第４の半割杆は、一対の作動片を突き合わせ縁を中心にして揺動させて、第３の半割杆の綴杆係止部と第４の半割杆の綴杆係止部とを係止することにより、環状に連結され、主綴杆と副綴杆とは、その軸方向に沿って閉方向に移動され、自由端の係止部が正規の位置において係止されて綴杆が閉じられるとともに、開方向に移動されて綴杆が開かれるように構成され、第１の半割杆の綴杆係止部を構成する凸部及び第３の半割杆の綴杆係止部を構成する凸部は、同一方向に向けて突き出し設けられ、先端部から基部側にかけて形成された湾曲凸面を備え、且つ、第１の半割杆の綴杆係止部を構成する凹部及び第３の半割杆の綴杆係止部を構成する凹部は、同一方向に向けて凹み形成され、凸部の後端から基部側にかけて形成された湾曲凹面を備え、第２の半割杆の綴杆係止部を構成する凸部及び第４の半割杆の綴杆係止部を構成する凸部は、同一方向に向けて突き出し設けられ、先端部から基部側にかけて形成された湾曲凸面を備え、且つ、第２の半割杆の綴杆係止部を構成する凹部及び第４の半割杆の綴杆係止部を構成する凹部は、同一方向に向けて凹み形成され、凸部の後端から基部側にかけて形成された湾曲凹面を備え、第１の半割杆の凸部の傾斜対向面及び第２の半割杆の凹部の傾斜対向面は、第１の綴杆の軸方向とは斜交するように形成され、開閉するときには、該凸部の傾斜対向面と該凹部の傾斜対向面とが一部で接し、且つ、第１の半割杆の凸部の傾斜対向面及び第２の半割杆の凸部の傾斜対向面は、第１の綴杆の軸方向とは斜交するように形成され、開閉するときには、該凸部の傾斜対向面と該凸部の傾斜対向面とが一部で接し、第３の半割杆の凸部の傾斜対向面及び第４の半割杆の凹部の傾斜対向面は、第２の綴杆の軸方向とは斜交するように形成され、開閉するときには、該凸部の傾斜対向面と該凹部の傾斜対向面とが一部で接し、且つ、第３の半割杆の凸部の傾斜対向面及び第４の半割杆の凸部の傾斜対向面は、第２の綴杆の軸方向とは斜交するように形成され、開閉するときには、該凸部の傾斜対向面と該凸部の傾斜対向面とが一部で接して、主綴杆の第１の半割杆及び副綴杆の第３の半割杆の先端に形成された綴杆係止部を構成する先端の凸部及びその凸部に続く凹部は、主綴杆の第１の半割杆に係止される第２の半割杆及び副綴杆の前記第３の半割杆に係止される第４の半割杆の先端に形成された綴杆係止部を構成する先端の凸部及びその凸部に続く凹部と、正規の係止位置で係止され、主綴杆たる第１の綴杆を指で挟んで綴杆を閉じ始めるとき、第２の綴杆の第３の半割杆の凸部と第２の綴杆の第４の半割杆の凹部とが当接する前に、第１の綴杆の第１の半割杆の凸部と第１の綴杆の第２の半割杆の凸部とが当接し、更に第１の綴杆を閉じるように作動させると、第１の綴杆の第１の半割杆の凹部が第２の半割杆の凸部上を摺動するとともに、第１の綴杆の第１の半割杆の凸部が第２の半割杆の凹部に嵌合される正規の係止位置を通り過ぎて、第１の半割杆の凸部が第２の半割杆の凹部の傾斜対向面上を摺動してずり上がるとともに、副綴杆の綴杆係止部が正規の係止位置で係止され、前記副綴杆の綴杆係止部が正規の係止位置で係止された後、閉じる方向の力から解放された主綴杆は、開閉部材の付勢力により、綴杆係止部が正規の係止位置に戻り係止されるように形成されたことを特徴とする、綴具である。
この発明の請求項２にかかる綴具は、開閉部材は、ねじりコイルバネからなり、巻線部と巻線部の両端から巻線部の中心軸と直交する方向に伸びる一方の固定先端部と他方の固定先端部とが連設され、開閉部材の巻線部の両端から延びる一方の固定先端部は、第１の作動片の支持部に係止され、且つ、他方の固定先端部は、及び第２の作動片の支持部に係止されて、支持され、第１の綴杆を閉じるように作動させると、第２の綴杆の第３の半割杆の凸部が第４の半割杆の凸部の傾斜対向面上を摺動し、更に第１の綴杆の第１の半割杆の凸部が第２の半割杆の凹部の傾斜対向面をずり上がり、第２の綴杆の第３の半割杆の凸部及び第４の半割杆の凸部が第４の半割杆の凹部及び第３の半割杆の凹部に嵌まり込み嵌合し、その後、第１の綴杆から指を離し閉じる力を解放すると、開閉部材の作用により第１の綴杆はわずかに開く方向に逆戻りして、第１の綴杆は、第２の綴杆と同様に、第１の半割杆の凸部及び第２の半割杆の凸部が第２の半割杆の凹部及び第１の半割杆の凹部に嵌まり込み嵌合するように構成された、請求項１に記載の綴具である。
この発明の請求項３にかかる綴具は、前記作動部材は、前記綴杆が閉じるときには、保持部材の内面より離れた位置において、その突き合わせ縁が突き合わせた状態において保持され、前記綴杆が開くときには、保持部材の内面に近づいた方向に向いて保持されるように保持部材に固定され、前記綴杆を開くときに、作動片を保持部材内で保持部材の長手方向に移動させるとともに、保持部材の内面に近づいた方向に保持されるように、綴杆を開く方向に変化させる開閉部材が設けられた、請求項１ないし２のいずれかに記載の綴具である。
この発明の請求項４にかかる綴具は、第１の作動片の突き合わせ縁の略中央付近に、空隙部が形成され、且つ、第２の作動片の突き合わせ縁の略中央付近に、空隙部が形成されるとともに、前記第１の作動片の空隙部の一方端には、開閉部材を係止する開閉部材固定部が突設され、且つ、前記第２の作動片の空隙部の一方端には、開閉部材を係止する開閉部材固定部が突設されて、
開閉部材は、前記第１の作動片の開閉部材固定部及び第２の作動片の開閉部材固定部に巻線部の両端が係止されて前記第１の作動片の空隙部及び第２の作動片の空隙部に収納された、請求項１ないし３のいずれかに記載の綴具である。
この発明の請求項５にかかる綴具は、作動部材は、開いている綴杆が閉じられるとき、主綴杆の自由端の係止部が係止される正規の位置より更に閉じられる方向に移動する移動距離を規制する移動規制部が形成され、該移動規制部は、規制凸起と規制凹部とを有し、移動規制部を構成する規制凸起が規制凹部内を移動して、規制凹部における綴杆係止部の外れる方向とは反対側の端縁に当接するように形成され、綴杆を閉じるとき、第１の綴杆の第１の半割杆の凸部が第２の半割杆の凹部に嵌合される正規の停止位置を通り過ぎて、第１の半割杆の凸部が第２の半割杆の凹部の傾斜対向面上を摺動してずり上がりオーバーランするとき、第１の綴杆の移動距離を規制して適宜な位置でオーバーランを停止させる、請求項１ないし４のいずれかに記載の綴具である。
この発明の請求項６にかかる綴具は、第１の作動片及び第２の作動片の長手方向への移動を規制する移動規制部が形成され、前記移動規制部は、第１の作動片の突き合わせ縁及び第２の作動片の突き合わせ縁に形成された規制凹部と規制凸起とから形成され、前記規制凹部は、開閉部材固定部の外側近傍において、突き合わせ縁より幅方向において凹んだ穴であり、前記規制凸起は、前記規制凹部と遊嵌するように形成された凸起であり、規制凹部に規制凸起が遊嵌されて、規制凹部内において第１の作動片及び第２の作動片がその長手方向に互い違いに移動するように形成された、請求項５に記載の綴具である。
【発明の効果】
【０００８】
この発明によれば、複数の開閉自在の綴杆と、前記綴杆を間隔をおいて設けることができる長さを備えた保持部材と、各綴杆がその基部において間隔をおいてその表面に固定され、綴杆が保持部材に固定されるように保持部材の内側に可動自在に固定された作動部材と、前記綴杆を開く方向に付勢する開閉部材とを備えた、綴具であって、前記作動部材は、保持部材内で保持部材の長手方向に移動する一対の作動片からなり、一方の作動片には綴杆の一方の基部が固定され、他方の作動片には綴杆の他方の基部が固定され、前記綴杆は、直接指で閉じられる主綴杆と、該主綴杆の閉じる方向に向けての作動に追動する副綴杆とを有し、主綴杆を構成する第１の半割杆及び第２の半割杆は、一対の作動片を突き合わせ縁を中心にして揺動させて、第１の半割杆の綴杆係止部と、第２の半割杆の綴杆係止部とを係止することにより、環状に連結され、副綴杆を構成する第３の半割杆及び第４の半割杆は、一対の作動片を突き合わせ縁を中心にして揺動させて、第３の半割杆の綴杆係止部と第４の半割杆の綴杆係止部とを係止することにより、環状に連結され、主綴杆と副綴杆とは、その軸方向に沿って閉方向に移動され、自由端の係止部が正規の位置において係止されて綴杆が閉じられるとともに、開方向に移動されて綴杆が開かれるように構成され、第１の半割杆の綴杆係止部を構成する凸部及び第３の半割杆の綴杆係止部を構成する凸部は、同一方向に向けて突き出し設けられ、先端部から基部側にかけて形成された湾曲凸面を備え、且つ、第１の半割杆の綴杆係止部を構成する凹部及び第３の半割杆の綴杆係止部を構成する凹部は、同一方向に向けて凹み形成され、凸部の後端から基部側にかけて形成された湾曲凹面を備え、第２の半割杆の綴杆係止部を構成する凸部及び第４の半割杆の綴杆係止部を構成する凸部は、同一方向に向けて突き出し設けられ、先端部から基部側にかけて形成された湾曲凸面を備え、且つ、第２の半割杆の綴杆係止部を構成する凹部及び第４の半割杆の綴杆係止部を構成する凹部は、同一方向に向けて凹み形成され、凸部の後端から基部側にかけて形成された湾曲凹面を備え、第１の半割杆の凸部の傾斜対向面及び第２の半割杆の凹部の傾斜対向面は、第１の綴杆の軸方向とは斜交するように形成され、開閉するときには、該凸部の傾斜対向面と該凹部の傾斜対向面とが一部で接し、且つ、第１の半割杆の凸部の傾斜対向面及び第２の半割杆の凸部の傾斜対向面は、第１の綴杆の軸方向とは斜交するように形成され、開閉するときには、該凸部の傾斜対向面と該凸部の傾斜対向面とが一部で接し、第３の半割杆の凸部の傾斜対向面及び第４の半割杆の凹部の傾斜対向面は、第２の綴杆の軸方向とは斜交するように形成され、開閉するときには、該凸部の傾斜対向面と該凹部の傾斜対向面とが一部で接し、且つ、第３の半割杆の凸部の傾斜対向面及び第４の半割杆の凸部の傾斜対向面は、第２の綴杆の軸方向とは斜交するように形成され、開閉するときには、該凸部の傾斜対向面と該凸部の傾斜対向面とが一部で接して、主綴杆の第１の半割杆及び副綴杆の第３の半割杆の先端に形成された綴杆係止部を構成する先端の凸部及びその凸部に続く凹部は、主綴杆の第１の半割杆に係止される第２の半割杆及び副綴杆の前記第３の半割杆に係止される第４の半割杆の先端に形成された綴杆係止部を構成する先端の凸部及びその凸部に続く凹部と、正規の係止位置で係止され、主綴杆たる第１の綴杆を指で挟んで綴杆を閉じ始めるとき、第２の綴杆の第３の半割杆の凸部と第２の綴杆の第４の半割杆の凹部とが当接する前に、第１の綴杆の第１の半割杆の凸部と第１の綴杆の第２の半割杆の凸部とが当接し、更に第１の綴杆を閉じるように作動させると、第１の綴杆の第１の半割杆の凹部が第２の半割杆の凸部上を摺動するとともに、第１の綴杆の第１の半割杆の凸部が第２の半割杆の凹部に嵌合される正規の係止位置を通り過ぎて、第１の半割杆の凸部が第２の半割杆の凹部の傾斜対向面上を摺動してずり上がるとともに、副綴杆の綴杆係止部が正規の係止位置で係止され、前記副綴杆の綴杆係止部が正規の係止位置で係止された後、閉じる方向の力から解放された主綴杆は、開閉部材の付勢力により、綴杆係止部が正規の係止位置に戻り係止されるように形成されているので、主綴杆を開いた状態から閉じると、副綴杆も確実に閉じることができる。
また、開閉部材は、ねじりコイルバネからなり、巻線部と巻線部の両端から巻線部の中心軸と直交する方向に伸びる一方の固定先端部と他方の固定先端部とが連設され、開閉部材の巻線部の両端から延びる一方の固定先端部は、第１の作動片の支持部に係止され、且つ、他方の固定先端部は、及び第２の作動片の支持部に係止されて、支持され、第１の綴杆を閉じるように作動させると、第２の綴杆の第３の半割杆の凸部が第４の半割杆の凸部の傾斜対向面上を摺動し、更に第１の綴杆の第１の半割杆の凸部が第２の半割杆の凹部の傾斜対向面をずり上がり、第２の綴杆の第３の半割杆の凸部及び第４の半割杆の凸部が第４の半割杆の凹部及び第３の半割杆の凹部に嵌まり込み嵌合し、その後、第１の綴杆から指を離し閉じる力を解放すると、開閉部材の作用により第１の綴杆はわずかに開く方向に逆戻りして、第１の綴杆は、第２の綴杆と同様に、第１の半割杆の凸部及び第２の半割杆の凸部が第２の半割杆の凹部及び第１の半割杆の凹部に嵌まり込み嵌合するように構成されるようにすれば、主綴杆を開いた状態から閉じると、副綴杆も確実に閉じることができる。
また、前記作動部材は、前記綴杆が閉じるときには、保持部材の内面より離れた位置において、その突き合わせ縁が突き合わせた状態において保持され、前記綴杆が開くときには、保持部材の内面に近づいた方向に向いて保持されるように保持部材に固定され、前記綴杆を開くときに、作動片を保持部材内で保持部材の長手方向に移動させるとともに、保持部材の内面に近づいた方向に保持されるように、綴杆を開く方向に変化させる開閉部材が設けられるようにすれば、主綴杆を開いた状態から閉じると、副綴杆も確実に閉じることができる。
また、作動部材は、開いている綴杆が閉じられるとき、主綴杆の自由端の係止部が係止される正規の位置より更に閉じられる方向に移動する移動距離を規制する移動規制部が形成され、該移動規制部は、規制凸起と規制凹部とを有し、移動規制部を構成する規制凸起が規制凹部内を移動して、規制凹部における綴杆係止部の外れる方向とは反対側の端縁に当接するように形成され、綴杆を閉じるとき、第１の綴杆の第１の半割杆の凸部が第２の半割杆の凹部に嵌合される正規の停止位置を通り過ぎて、第１の半割杆の凸部が第２の半割杆の凹部の傾斜対向面上を摺動してずり上がりオーバーランするとき、第１の綴杆の移動距離を規制して適宜な位置でオーバーランを停止させると、主綴杆が閉じられるとき、正規の位置より更に閉じられる方向に適宜な距離を移動して停止させ、副綴杆を確実に閉じさせてから、自身正規の位置に戻り、確実に綴杆を閉じることができる。
また、第１の作動片及び第２の作動片の長手方向への移動を規制する移動規制部が形成され、前記移動規制部は、第１の作動片の突き合わせ縁及び第２の作動片の突き合わせ縁に形成された規制凹部と規制凸起とから形成され、前記規制凹部は、開閉部材固定部の外側近傍において、突き合わせ縁より幅方向において凹んだ穴であり、前記規制凸起は、前記規制凹部と遊嵌するように形成された凸起であり、規制凹部に規制凸起が遊嵌されて、規制凹部内において第１の作動片及び第２の作動片がその長手方向に互い違いに移動するように形成されると、主綴杆が閉じられるとき、正規の位置より更に閉じられる方向に適宜な距離を移動して停止させ、副綴杆を確実に閉じさせてから、自身正規の位置に戻り、確実に綴杆を閉じることができる。
【０００９】
この発明の上述の目的、その他の目的、特徴および利点は、図面を参照して行う以下の発明を実施するための最良の形態の説明から一層明らかとなろう。
【図面の簡単な説明】
【００１０】
【図１】本発明にかかる一実施の形態である綴具を開いたファイルを示す斜視図である。
【図２】本発明にかかる一実施の形態である綴具の一例を示す斜視図である。
【図３】保持部材の斜視図である。
【図４】作動部材及び開閉部材の斜視図解図である。
【図５】開閉部材の平面図である。
【図６】開閉部材の側面図解図で、（A）は元の状態の側面図解図で（B）は巻線部の円周方向に力を加えた状態の側面図解図である。
【図７】綴杆及び作動部材の図解図であり、（A）は閉じた状態における綴杆と作動部材を示す平面図解図であり、（B）は第２の作動片の右側図解図である。
【図８】閉じた状態における綴具の平面図である。
【図９】閉じた状態における綴具の底面図である。
【図１０】閉じた状態における綴具の横断面図であり、（Ａ）は、図９Ａ−Ａ断面図であり、（Ｂ）は、図９Ｂ−Ｂ断面図である。
【図１１】綴杆を開く状態を示す綴具の底面図である。
【図１２】綴杆を開く状態を示す綴具の綴杆の図解図である。
【図１３】開いた状態における綴具の平面図である。
【図１４】開いた状態における綴具の底面図である。
【図１５】開いた状態における綴具の横断面図であり、（Ａ）は、図１４Ａ−Ａ断面図であり、（Ｂ）は、図１４Ｂ−Ｂ断面図である。
【図１６】綴杆の係止部を示す図解図であり、（Ａ）は、平面図解図であり、（Ｂ）は、（Ａ）のＡ−Ａ断面図解図であり、（Ｃ）は、正面図解図である。
【図１７】綴杆の係止部を示す図解図であり、（Ａ）は、側面図解図であり、（Ｂ）は、（Ａ）のＢ−Ｂ断面図解図である。
【図１８】綴杆を綴じる状態を示す綴杆の図解図であり、（Ａ）は、平面図解図であり、（Ｂ）は、正面図解図である。
【図１９】綴杆を綴じる状態を示す綴杆の図解図であり、（Ａ）は、平面図解図であり、（Ｂ）は、正面図解図である。
【図２０】綴杆を綴じる状態を示す綴杆の図解図であり、（Ａ）は、平面図解図であり、（Ｂ）は、正面図解図である。
【図２１】綴杆を綴じる状態を示す綴杆の図解図であり、（Ａ）は、平面図解図であり、（Ｂ）は、正面図解図である。
【図２２】作動部材の取り付け方を示す底面図である。
【図２３】作動部材の取り付け方を示す横断面図である。
【図２４】作動部材の取り付け方を示す底面図である。
【図２５】作動片の取り付け方を示す横断面図解図である。
【図２６】作動片の取り付け方を示す底面図である。
【図２７】作動片の取り付け方を示す横断面図である。
【図２８】開閉部材の取り付け方を示す底面図解図である。
【図２９】開閉部材の取り付け方を示す底面図解図である。
【図３０】開閉部材の取り付け方を示す底面図解図である。
【図３１】本発明にかかる別の形態である綴具を開いたファイルを示す斜視図である。
【図３２】本発明にかかる別の形態である綴具の一例を示す斜視図である。
【図３３】保持部材の斜視図である。
【図３４】作動部材及び開閉部材の斜視図解図である。
【図３５】開閉部材の平面図である。
【図３６】開閉部材の側面図解図で、（A）は元の状態の側面図解図で（B）は巻線部の円周方向に力を加えた状態の側面図解図である。
【図３７】綴杆及び作動部材の図解図であり、（A）は閉じた状態における綴杆と作動部材を示す平面図解図であり、（B）は第２の作動片の右側図解図である。
【図３８】閉じた状態における綴具の平面図である。
【図３９】閉じた状態における綴具の底面図である。
【図４０】閉じた状態における綴具の横断面図であり、（Ａ）は、図３９Ａ−Ａ断面図であり、（Ｂ）は、図３９Ｂ−Ｂ断面図である。
【図４１】綴杆を開く状態を示す綴具の底面図である。
【図４２】綴杆を開く状態を示す綴具の綴杆の図解図である。
【図４３】開いた状態における綴具の平面図である。
【図４４】開いた状態における綴具の底面図である。
【図４５】開いた状態における綴具の横断面図であり、（Ａ）は、図４４Ａ−Ａ断面図であり、（Ｂ）は、図４４Ｂ−Ｂ断面図である。
【図４６】綴杆の係止部を示す図解図であり、（Ａ）は、平面図解図であり、（Ｂ）は、（Ａ）のＡ−Ａ断面図解図であり、（Ｃ）は、正面図解図である。
【図４７】綴杆の係止部を示す図解図であり、（Ａ）は、側面図解図であり、（Ｂ）は、（Ａ）のＢ−Ｂ断面図解図である。
【図４８】綴杆を綴じる状態を示す綴杆の図解図であり、（Ａ）は、平面図解図であり、（Ｂ）は、正面図解図である。
【図４９】綴杆を綴じる状態を示す綴杆の図解図であり、（Ａ）は、平面図解図であり、（Ｂ）は、正面図解図である。
【図５０】綴杆を綴じる状態を示す綴杆の図解図であり、（Ａ）は、平面図解図であり、（Ｂ）は、正面図解図である。
【図５１】綴杆を綴じる状態を示す綴杆の図解図であり、（Ａ）は、平面図解図であり、（Ｂ）は、正面図解図である。
【図５２】作動部材の取り付け方を示す底面図である。
【図５３】作動部材の取り付け方を示す横断面図である。
【図５４】作動部材の取り付け方を示す底面図である。
【図５５】作動片の取り付け方を示す横断面図解図である。
【図５６】作動片の取り付け方を示す底面図である。
【図５７】作動片の取り付け方を示す横断面図である。
【図５８】開閉部材の取り付け方を示す底面図解図である。
【図５９】開閉部材の取り付け方を示す底面図解図である。
【図６０】開閉部材の取り付け方を示す底面図解図である。
【図６１】別の実施の形態である綴具の一例を示す斜視図である。
【図６２】別の実施の形態である綴具の一例を示す平面図である。
【図６３】別の実施の形態である綴具の一例を示す底面図である。
【図６４】別の実施の形態である綴具の一例を示す図であり、（Ａ）は側面図であり、（Ｂ）は綴杆の断面図である。
【図６５】別の実施の形態である綴具の一例を示す斜視図である。
【図６６】別の実施の形態である綴具の一例を示す平面図である。
【図６７】別の実施の形態である綴具の一例を示す底面図である。
【図６８】別の実施の形態である綴具の一例を示す図であり、（Ａ）は側面図であり、（Ｂ）は綴杆の断面図である。
【図６９】別の実施の形態である綴具の一例を示す斜視図である。
【図７０】別の実施の形態である綴具の一例を示す平面図である。
【図７１】別の実施の形態である綴具の一例を示す底面図である。
【図７２】別の実施の形態である綴具の一例を示す図であり、（Ａ）は側面図であり、（Ｂ）は綴杆の断面図である。
【符号の説明】
【００１１】
１０，１１０，２１０，３１０，４１０  綴具
１２，１１２，２１２，３１２，４１２  第１の綴杆
１４，１１３，２１４，３１３，４１３  第２の綴杆
１１４，３１４，４１４  第３の綴杆
１１５，３１５  第４の綴杆
１２ａ，１１２ａ，２１２ａ，３１２ａ，４１２ａ  第１の半割杆
１２ｂ，１１２ｂ，２１２ｂ，３１２ｂ，４１２ｂ  第２の半割杆
１４ａ，１１３ａ，２１４ａ，３１３ａ，４１３ａ  第３の半割杆
１４ｂ，１１３ｂ，２１４ｂ，３１３ｂ，４１３ｂ  第４の半割杆
１１４ａ，３１４ａ，４１４ａ  第５の半割杆
１１４ｂ，３１４ｂ，４１４ｂ  第６の半割杆
１１５ａ，３１５ａ  第７の半割杆
１１５ｂ，３１５ｂ  第８の半割杆
１６，１１６，２１６，３１６，４１６  保持部材
１８，１１８，２１８，３１８，４１８  作動部材
２０，１２０，２２０，３２０，４２０  取付孔
２２，１２２，２２２，３２２，４２２  被綴じ物載置部
２２ａ，２２ｂ，２２２ａ  膨出部
２４ａ，２４ｂ，１２４ａ，１２４ｂ，２２４ａ，２２４ｂ，３２４ａ，３２４ｂ，４２４ａ，４２４ｂ  保持壁
２６，１２６，２２６，３２６，４２６  第１の貫通孔
２８，１２７，２２８，３２７，４２７  第２の貫通孔
１２８，３２８，４２８  第３の貫通孔
１２９，３２９  第４の貫通孔
３０，１３０，２３０，３３０  第１の作動片
３０ａ，２３０ａ  突き合わせ縁
３０ｂ，２３０ｂ  外側端縁
３０ｃ，２３０ｃ  突出部
３０ｄ，３０ｅ，２３０ｄ，２３０ｅ  係合部
３０ｆ，３２ｆ，２３０ｆ，２３２ｆ  規制凹部
３０ｇ，３２ｇ，２３０ｇ，２３２ｇ  規制凸起
３２，１３１，２３２  第２の作動片
３２ａ，２３２ａ  突き合わせ縁
３２ｂ，２３２ｂ  外側端縁
３２ｃ，２３２ｃ  突出部
３２ｄ，３２ｅ，２３２ｄ，２３２ｅ  係合部
１３２，３３２  第３の作動片
１３３，３３３  第４の作動片
３４，２３４  隙間
３６ａ，３８ａ，２３６ａ，２３８ａ，４３６ａ1，４３６ａ2，４３８ａ1，４３８ａ2  空隙部
３６ｂ，３８ｂ，２３６ｂ，２３８ｂ，４３６ｂ1，４３６ｂ2，４３８ｂ1，４３８ｂ2  開閉部材固定部
３６ｃ，３８ｃ，２３６ｃ，２３８ｃ  支持部
３６ｄ，３８ｄ，２３６ｄ，２３８ｄ  挿入孔
４０，１４０，１４１，２４０，３４０，３４１，４４０，４４１  開閉部材
４２ａ，２４２ａ  開閉部材の一方の固定先端部
４２ｂ，２４２ｂ  開閉部材の他方の固定先端部
４４，２４４  巻線部
４６ａ，４６ｂ，２４６ａ，２４６ｂ  固定部
４７ａ，４７ｂ，２４７ａ，２４７ｂ  中間部
４８ａ，４８ｂ，２４８ａ，２４８ｂ  係止端部
５０，２５０，４５０  綴杆係止部
５２ａ，５４ａ，５６ａ，５８ａ，２５２ａ，２５４ａ，２５６ａ，２５８ａ  凸部
５２ｂ，５４ｂ，５６ｂ，５８ｂ，２５２ｂ，２５４ｂ，２５６ｂ，２５８ｂ  凹部
５２ｃ，５４ｃ，５６ｃ，５８ｃ，２５２ｃ，２５４ｃ，２５６ｃ，２５８ｃ  凸部の傾斜対向面
５２ｄ，５４ｄ，５６ｄ，５８ｄ，２５２ｄ，２５４ｄ，２５６ｄ，２５８ｄ  凹部の傾斜対向面
【発明を実施するための最良の形態】
【００１２】
図１は、本発明にかかる一実施の形態である綴具を用いたファイルを示す斜視図である。図２は、本発明にかかる一実施の形態である綴具の一例を示す斜視図であり、図３は、保持部材の斜視図である。図４は、作動部材及び開閉部材の斜視図解図である。図５は、開閉部材の平面図である。図６は、開閉部材の側面図解図で、（Ａ）は元の状態の側面図解図で（Ｂ）は巻線部の円周方向に力を加えた状態の側面図解図である。図７は、綴杆及び作動部材の図解図であり、（Ａ）は閉じた状態における綴杆と作動部材を示す平面図解図であり、（Ｂ）は第２の作動片の右側図解図である。図８は、閉じた状態における綴具の平面図である。図９は、閉じた状態における綴具の底面図である。図１０は、閉じた状態における綴具の横断面図であり、（Ａ）は、図９Ａ−Ａ断面図であり、（Ｂ）は、図９Ｂ−Ｂ断面図である。図１１は、綴杆を開く状態を示す綴具の底面図である。図１２は、綴杆を開く状態を示す綴具の綴杆の図解図である。【００１３】
図１ないし１２に示す綴具１０は、厚紙その他の比較的硬質なシート材からなる表紙Ａの略中央に形成される左右一対の折り線の内側の背表紙の内側表面に固定される。固定する方法としては、綴具１０の長手方向の両端に形成された取付孔２０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。また、背表紙に対して、例えば、超音波溶着または高周波溶着することにより固着する方法を採用することもできる。【００１４】
綴具１０は、環状の綴杆を構成する一対のそれぞれ略円環状の金属製の第１の綴杆１２および第１の綴杆１２と一対の第２の綴杆１４と、前記第１の綴杆１２および第２の綴杆１４をそれぞれ間隔をおいて設けることができる長さを備えた保持部材１６と、その表面に第１の綴杆１２および第２の綴杆１４が間隔をおいて第１の綴杆１２および第２の綴杆１４のそれぞれの基部が固定され、第１の綴杆１２および第２の綴杆１４が前記保持部材１６に固定されるように保持部材１６の内側に可動自在に固定された作動部材１８とを備える。【００１５】
この綴具１０の綴杆は、主綴杆たる第１の綴杆１２と副綴杆たる第２の綴杆１４とからなる開閉自在の２穴タイプである。
第１の綴杆１２と第２の綴杆１４とは、同一方向に向けて、その綴杆係止部５０を指で外すことができるように構成されている。
そして、綴杆を閉じるときは、主綴杆たる第１の綴杆１２を、例えば親指と人差し指で直接挟んで閉じるように構成されており、第１の綴杆１２を２本の指で挟んで閉じる方向に作動させると、副綴杆たる第２の綴杆１４は追動するように構成されている。【００１６】
保持部材１６は、第１の綴杆１２と第２の綴杆１４とを所定の間隔をおいて設けることができる長さを備える平面視略長方形で、その両端、すなわち表紙Ａに取り付ける取付孔２０近傍においては、平面視略半円弧状に形成されている。
保持部材１６は、第１の綴杆１２および第２の綴杆１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４ａ及び保持壁２４ｂが設けられている。この実施の形態においては、保持部材１６の長手方向において、第１の綴杆１２および第２の綴杆１４のそれぞれの外側近傍より内部に亘って略全体において垂下されるように、保持壁２４ａおよび保持壁２４ｂが連設され、保持壁２４ａと保持壁２４ｂとは平行で略同一の形状の板状である。
そして、この保持壁２４ａおよび保持壁２４ｂと被綴じ物載置部２２によって囲繞された保持空間内に、後に詳しく説明する作動部材１８等が収容される。【００１７】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴杆１２を構成する第１の半割杆１２ａおよび第２の半割杆１２ｂと、第２の綴杆１４を構成する第３の半割杆１４ａおよび第４の半割杆１４ｂとに対応して、保持部材１６の幅方向において左右に分かれて一定の間隔をおいて、２つずつ穿設されている。【００１８】
作動部材１８は、平面視略長方形状金属板からなる一対の第１の作動片３０および第２の作動片３２からなる。
第１の作動片３０及び第２の作動片３２は、その長手方向において、保持壁２４ａ及び保持壁２４ｂと平行でその内面に摺動する外側端縁３０ｂ及び外側端縁３２ｂが形成されている。第１の作動片３０及び第２の作動片３２は、点対称で、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成され、保持部材１６の保持空間内において各々をその長手方向において並置したとき、各々その内側縁において屈曲自在に係合する。すなわち、その突き合わせ縁３０ａおよび突き合わせ縁３２ａが突き合わされ且つ外側端縁３０ｂおよび外側端縁３２ｂが保持部材１６の保持壁２４ａおよび保持壁２４ｂの両壁内内側面に接し合わされる。【００１９】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図７図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図７図示平面Ｐxyより上側）に向いて、その谷折りまたは山折りの状態を維持するように、保持部材１６の内側空間部に内設されている。
平面Ｐxyとは、第１の綴杆１２と第２の綴杆１４それぞれの基部が第１の作動片３０と第２の作動片３２に固着された部分（４箇所）を通る左右軸Ｙ1，Ｙ2および前後軸Ｘ1，Ｘ2（図７図示）を含む平面である。【００２０】
作動部材１８は、一方の作動片、すなわち第１の作動片３０における保持部材１６の被綴じ物載置部２２の内側面と対向する表面（すなわち上面）には、第１の綴杆１２を構成する第１の半割杆１２ａの基部が固定され、且つ、前記第１の半割杆１２ａとは一定の間隔をおいて、第２の綴杆１４を構成する第３の半割杆１４ａの基部が固定されている。
また、他方の作動片、すなわち第２の作動片３２における保持部材１６の被綴じ物載置部２２と対向する表面（すなわち上面）には、第１の綴杆１２を構成する第２の半割杆１２ｂの基部が固定され、且つ、前記第２の半割杆１２ｂと一定の間隔をおいて、第２の綴杆１４を構成する第４の半割杆１４ｂの基部が固定されている。【００２１】
一対の作動片、すなわち第１の作動片３０及び第２の作動片３２は、前記保持部材１６に形成された前記貫通孔、すなわち第１の貫通孔２６と第２の貫通孔２８とに通される突出部３０ｃおよび突出部３２ｃが形成されている。そして、一対の第１の作動片３０及び第２の作動片３２は、前記突出部３０ｃおよび突出部３２ｃが前記第１の貫通孔２６及び第２の貫通孔２８に通された状態で突き合わされている。第１の作動片３０及び第２の作動片３２は、突き合わせ縁３０ａおよび突き合わせ縁３２ａが、綴杆、すなわち第１の綴杆１２及び第２の綴杆１４を開いた際には前記保持部材１６の内面に近づき且つ前記第１の綴杆１２及び第２の綴杆１４を閉じた際には前記保持部材１６の内面から離れるように、前記第１の綴杆１２及び第２の綴杆１４を開閉する方向に回動可能に、前記保持部材１６に保持される。【００２２】
第１の作動片３０及び第２の作動片３２は、一対の作動片が突き合わされる略直線状の突き合わせ縁３０ａ及び突き合わせ縁３２ａが内側に形成され、前記突き合わせ縁３０ａ及び突き合わせ縁３２ａと略平行な略直線状の外側端縁３０ｂ及び外側端縁３２ｂが外側に形成されている。
前記突出部３０ｃは、第１の半割杆１２ａと第３の半割杆１４ａの基部の取付け位置に近い位置で前後一対形成され、且つ、突出部３２ｃは、第２の半割杆１２ｂと第４の半割杆１４ｂの基部の取付け位置に近い位置で前後一対形成され、第１の綴杆１２及び第２の綴杆１４の開閉ができるように、保持部材１６の保持壁２４ａ及び２４ｂより外側に突出している。
突出部３０ｃ及び３２ｃは、保持部材１６の貫通孔（第１の貫通孔２６及び第２の貫通孔２８）より外側に突き出る長さと、作動部材１８が保持部材１６の長手方向に移動可能な幅とを有する舌状である。
作動片は、金属またプラスチックの薄板からなり、作動片と突出部とは一体成形されてなる。【００２３】
前記第１の作動片３０は、一対の作動片を係合させるための係合部３０ｄ及び係合部３０ｅが、第１の作動片３０の突き合わせ縁３０ａから第２の作動片３２の突き合わせ縁３２ａに向けて突き出し設けられ、且つ、一対の作動片を係合させるための係合部３２ｄ及び係合部３２ｅが、第２の作動片３２の突き合わせ縁３２ａから第１の作動片３０の突き合わせ縁３０ａに向けて突き出し設けられている。
係合部３０ｄ及び係合部３０ｅと係合部３２ｄ及び係合部３２ｅは、対向する第１の作動片３０及び第２の作動片３２の上側に向けて延びて突き合わせ縁３０ａ及び突き合わせ縁３２ａを中心にして第１の作動片３０と第２の作動片３２とが揺動するように形成されている。【００２４】
係合部３０ｄ及び係合部３０ｅと係合部３２ｄ及び係合部３２ｅは、保持部材１６の被綴じ物載置部２２の内面側に向けて、作動部材１８の厚み分を突き出された基部と、前記基部の先端より突き出された押さえ部とを備えた平面視略Ｕ字状に形成されている。そして、押さえ部は、一対の作動片たる第１の作動片３０及び第２の作動片３２のうちの片一方の作動片たる第１の作動片３０または第２の作動片３２のはずれ止めの機能を備え、係合部３０ｄ及び係合部３０ｅと係合部３２ｄ及び係合部３２ｅは、保持部材１６の被綴じ物載置部２２の内面側に向けて突き出されて、一対の作動片たる第１の作動片３０及び第２の作動片３２の片一方の作動片、すなわち第１の作動片３０または第２の作動片３２の保持部材１６の被綴じ物載置部２２の内面側において接している。
最も外側の係合部３０ｅ及び係合部３２ｅは、第１の作動片３０と第２の作動片３２を逆方向に移動させたときにおいても作動部材１８の端縁より内側に位置する幅を備えている。【００２５】
最も外側の係合部３０ｅ及び３２ｅと内側の係合部３０ｄ及び３２ｄとは、第１の綴杆１２及び第２の綴杆１４の基部が取付けられた部位を挟んで適宜な間隔をおいて形成され、分かれた最も外側の係合部３０ｅ及び３２ｅと内側の係合部３０ｄ及び３２ｄとの間において第１の作動片３０と第２の作動片３２の突き合わせ縁３０ａ及び突き合わせ縁３２ａに棒状治具Ｇを挿入するための隙間３４が形成されている。【００２６】
そして、前記第１の綴杆１２および第２の綴杆１４が閉じるときには、図１０に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち谷折りの状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図１５に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。【００２７】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図７図示））および第２の半割杆１２ｂと第４の半割杆１４ｂとを結ぶ線（Ｘ2（図７図示））と平行な方向に、第１の作動片３０と第２の作動片３２とを移動させることができるように摺動自在に内設されている。【００２８】
第１の作動片３０及び第２の作動片３２は、空隙部３６ａ及び空隙部３８ａと開閉部材固定部３６ｂ及び開閉部材固定部３８ｂの外側近傍において、第１の作動片３０及び第２の作動片３２の長手方向への移動を規制する移動規制部が形成される。
移動規制部は、第１の作動片３０の突き合わせ縁３０ａに形成された規制凹部３０ｆ及び規制凸起３０ｇと、第２の作動片３２の突き合わせ縁３２ａに形成された規制凹部３２ｆ及び規制凸起３２ｇとから形成される。
規制凹部３０ｆは、開閉部材固定部３６ｂの外側近傍において、突き合わせ縁３０ａより幅方向において凹んだ平面視コ字型の穴であり、規制凸起３２ｇは、前記規制凹部３０ｆと遊嵌するように形成された平面視コ字型の凸起であり、規制凹部３０ｆに規制凸起３２ｇが遊嵌されて、規制凹部３０ｆ内において第１の作動片３０及び第２の作動片３２がその長手方向に互い違いに移動するように形成されている。
規制凹部３２ｆは、開閉部材固定部３８ｂの外側近傍において、突き合わせ縁３２ａより幅方向において凹んだ平面視コ字型の穴であり、規制凸起３０ｇは、前記規制凹部３２ｆと遊嵌するように形成された平面視コ字型の凸起であり、規制凹部３２ｆに規制凸起３０ｇが遊嵌されて、規制凹部３２ｆ内において第１の作動片３０及び第２の作動片３２がその長手方向に互い違いに移動するように形成されている。【００２９】
第１の作動片３０の突き合わせ縁３０ａ及び第２の作動片３２の突き合わせ縁３２ａに、第１の綴杆１２と第２の綴杆１４とを開閉方向に変化させる開閉部材４０が設けられている。
開閉部材４０は、ねじりコイルバネからなり、巻線部４４と巻線部４４の両端から巻線部４４の中心軸と直交する方向に伸びる固定先端部４２ａと固定先端部４２ｂとが連設され、ねじりモーメントが発生しない元の状態は、図６（Ａ）に示すように、巻線部４４の円周方向に固定先端部４２ａと固定先端部４２ｂとが平行に突き出されている。固定先端部４２ａ及び固定先端部４２ｂは、巻線部４４から突き出された直線状の固定部４６ａおよび固定部４６ｂと、該固定部４６ａ及び固定部４６ｂの自由端側に連設された中間部４７ａ及び中間部４７ｂと、該中間部４７ａ及び中間部４７ｂの固定部４６ａ及び固定部４６ｂとは反対側の自由端側に連設された係止端部４８ａ及び係止端部４８ｂとを備えている。そして、固定部４６ａ及び固定部４６ｂと中間部４７ａ及び中間部４７ｂとは直交し、中間部４７ａ及び中間部４７ｂと係止端部４８ａ及び係止端部４８ｂとは直交している。
ねじりモーメントが発生しない元の状態においては、一方の固定部４６ａともう一方の固定部４６ｂ及び一方の係止端部４８ａともう一方の係止端部４８ｂとは平行になるように形成されている。【００３０】
この綴具１０を構成する第１の作動片３０の突き合わせ縁３０ａの略中央付近には、空隙部３６ａが形成され、且つ、第２の作動片３２の突き合わせ縁３２ａの略中央付近にも、空隙部３８ａが形成されるとともに、前記空隙部３６ａの一方端には、開閉部材４０を係止する開閉部材固定部３６ｂが突設され、且つ、前記空隙部３８ａの一方端には、開閉部材４０を係止する開閉部材固定部３８ｂが突設されている。
前記開閉部材固定部３６ｂ及び前記開閉部材固定部３８ｂは、第１の作動片３０に第１の綴杆１２が固定された基部を結ぶ線Ｘ1、または第２の作動片３２に第２の綴杆１４が固定された基部を結ぶ線Ｘ2の延びる方向に離れて形成されている。【００３１】
そして、開閉部材４０は、前記開閉部材固定部３６ｂ及び開閉部材固定部３８ｂに巻線部４４の両端が係止されて前記空隙部３６ａ及び空隙部３８ａに収納される。
そして、前記開閉部材４０の巻線部４４の両端から延びる先端部を支持するために、前記作動部材１８に支持部３６ｃ及び支持部３８ｃが形成されている。
前記開閉部材４０の巻線部４４の両端から延びる固定先端部は、第１の作動片３０の支持部３６ｃ及び第２の作動片３２の支持部３８ｃに係止され、支持されている。
すなわち、一方の固定先端部４２ａは、巻線部４４端部が係止される前記開閉部材固定部３８ｂが形成された第２の作動片３２に対向する第１の作動片３０の支持部３６ｃに支持され、またもう一方の固定先端部４２ｂは、開閉部材固定部３６ｂが形成された第１の作動片３０に対向する第２の作動片３２の支持部３８ｃに支持されている。【００３２】
固定先端部４２ａ及び固定先端部４２ｂは、固定部４６ａ及び固定部４６ｂの長さが一定であり、中間部４７ａが作動部材１８の支持部３６ｃに及び中間部４７ｂが作動部材１８の支持部３８ｃに係止されるために、第１の作動片３０の突き合わせ縁３０ａ及び第２の作動片３２の突き合わせ縁３２ａにおいて突き合わされた第１の作動片３０と第２の作動片３２との間における距離を、一定に保ち、第１の作動片３０と第２の作動片３２とを引き寄せてそれぞれの位置関係を最適な状態に保つ。
したがって、綴杆を構成する第１の綴杆１２及び第２の綴杆１４の開閉時において、第１の作動片３０及び第２の作動片３２が突き合わせ縁３０ａ及び突き合わせ縁３２ａを枢軸として揺動するときにおいて、第１の作動片３０の幅と第２の作動片３２の幅との和が最大になったとき、すなわち、第１の作動片３０と第２の作動片３２とが平面状態（中立状態）になったときにおいても、第１の作動片３０の最も外側の縁と保持部材１６の保持壁２４ａとの間及び第２の作動片３２の最も外側の縁と保持部材１６の保持壁２４ｂとの間に適宜な間隙が生じ、保持部材１６の保持空間内において作動部材１８の第１の作動片３０及び第２の作動片３２が円滑に移動できる。【００３３】
前記半割杆が組み合わされて第１の綴杆１２及び第２の綴杆１４が形成されているとき、前記保持部材１６の長手方向における前記開閉部材４０の両側の先端部間の距離（固定先端部４２ａの係止端部４８ａと固定先端部４２ｂの係止端部４８ｂとの間の距離）は、前記巻線部４４の両端の距離より短い。
そして、１対の前記第１の作動片３０と第２の作動片３２とは、前記保持部材１６の長手方向において互いに逆方向に移動させることにより、前記半割杆の組み合わせによる前記第１の綴杆１２及び第２の綴杆１４が分離され、前記第１の綴杆１２及び第２の綴杆１４が分離されたときに、前記開閉部材４０の両先端部が互いに平面視略平行となった状態で、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。【００３４】
開閉部材固定部３６ｂ及び開閉部材固定部３８ｂは、直線状の突き合わせ縁３０ａ及び突き合わせ縁３２ａに一直線状に並ぶように、空隙部３６ａ及び空隙部３８ａの中央に向けて突き出され、開閉部材４０の巻線部４４の内側に形成された貫通孔内に挿入される太さと長さを有するように形成されている。【００３５】
支持部３６ｃ及び支持部３８ｃは、第１の作動片３０及び第２の作動片３２の長手方向（第１の作動片３０はＯ1方向、第２の作動片３２はＯ2方向（図７図示））にのびる細孔であり、固定先端部４２ａ及び固定先端部４２ｂを第１の作動片３０及び第２の作動片３２の一方主面から他方主面に向けて挿入するための挿入孔３６ｄ及び挿入孔３８ｄに連続して設けられている。【００３６】
一方の固定先端部４２ａと他方の固定先端部４２ｂは、図６（Ａ）に示すように、元々平行状態にあったが、固定先端部４２ａ及び固定先端部４２ｂは、第１の作動片３０および第２の作動片３２のそれぞれの長手方向、すなわち第１の作動片３０の第１の半割杆１２ａを固定する部位と第３の半割杆１４ａを固定する部位とを結ぶ線（Ｘ1（第７図図示））および第２の作動片３２の第２の半割杆１２ｂを固定する部位と第４の半割杆１４ｂを固定する部位とを結ぶ線（Ｘ2（第７図図示））と斜めに交差する方向に架け渡されている。さらに、開閉部材４０が閉じた状態にあるときは、元々ほぼ平行に接近していた固定先端部４２ａ（特に固定部４６ａ）と固定先端部４２ｂ（特に固定部４６ｂ）とは、図９に示すように引き離されて、固定先端部４２ａが第２の作動片３２に係止され且つ固定先端部４２ｂが第１の作動片３０に係止されてねじられた状態になる。【００３７】
固定先端部４２ａは、第２の作動片３２の空隙部３８ａの側から開閉部材固定部３８ｂの下面を通り第１の作動片３０の下面より支持部３６ｃの上面に至るように架け渡されている。
固定先端部４２ｂは、第１の作動片３０の空隙部３６ａの側から開閉部材固定部３６ｂの下面を通り第２の作動片３２の下面より支持部３８ｃの上面に至るように架け渡されている。
したがって、固定先端部４２ａは、第１の作動片３０に装填し易く第１の作動片３０を下面側に向けて強い力で回転して開くように機能し、固定先端部４２ｂは、第２の作動片３２に装填し易く第２の作動片３２を下面側に向けて強い力で回転して開くように機能する。【００３８】
そして、開閉部材４０の弾性により、作動部材１８を構成する第１の作動片３０及び第２の作動片３２は、第１の綴杆１２と第２の綴杆１４を手で開き始めたとき、すなわち、第１の綴杆１２と第２の綴杆１４のそれぞれの綴杆係止部５０を外したとき、第１の綴杆１２の第１の半割杆１２ａと第２の半割杆１２ｂとが離れる方向（第１の半割杆１２ａはＯ1方向で、第２の半割杆１２ｂはＯ2方向（第７図図示））および第２の綴杆１４の第３の半割杆１４ａと第４の半割杆１４ｂとが離れる方向（第３の半割杆１４ａはＯ1方向で、第４の半割杆１４ｂはＯ2方向（第７図図示））に移動するとともに、ねじられていた開閉部材４０が元の状態に戻ろうとして、第１の半割杆１２ａと第２の半割杆１２ｂとをおよび第３の半割杆１４ａと第４の半割杆１４ｂとを巻線部４４の円周方向（第１の半割杆１２ａおよび第３の半割杆１４ａはＯ3方向、第２の半割杆１２ｂおよび第４の半割杆１４ｂはＯ4方向）に引き離すように作用する。
すなわち、開閉部材４０の弾性により、第１の作動片３０は、綴杆係止部５０を外す方向（Ｏ1方向）に移動し、第２の作動片３２は、綴杆係止部５０を外す方向（Ｏ2方向）に移動する。【００３９】
そして、開閉部材４０の弾性により、作動部材１８を構成する第１の作動片３０は、綴杆係止部５０を閉じる位置の方向（Ｏ1とは反対の方向）に移動し、且つ、第２の作動片３２は、綴杆係止部５０を閉じる位置の方向（Ｏ2とは反対の方向）に移動する。
そして、開閉部材４０の弾性により、作動部材１８を構成する第１の作動片３０と第２の作動片３２は、谷折り状態から徐々に平面状態（中立状態）となり、更に平面状態（中立状態）から山折り状態に変わる。
そして、開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。【００４０】
保持部材１６の被綴じ物載置部２２には、係合部３０ｄ及び３２ｅとが上側に向いて回転したときに被綴じ物載置部２２の内面と当接しないようにするための膨出部２２ａが長手方向に延びて形成され、係合部３０ｅ及び３２ｄとが上側に向いて回転したときに被綴じ物載置部２２の内面と当接しないようにするための膨出部２２ｂが長手方向に延びて形成されている。
また、保持部材１６の被綴じ物載置部２２には、開閉部材４０が上側に向いて移動したときに被綴じ物載置部２２の内面と当接しないようにするための膨出部２２ｃが長手方向に延びて形成されている。【００４１】
第１の綴杆１２は、略円環状となるように、半円弧状の第１の半割杆１２ａと第２の半割杆１２ｂとから構成され、第２の綴杆１４は、略円環状となるように、半円弧状の第３の半割杆１４ａと第４の半割杆１４ｂとから構成されている。そして、用紙Ｓに予め穿設された綴じ孔に挿通して、用紙Ｓを綴じることができるように、第１の半割杆１２ａおよび第２の半割杆１２ｂと、第３の半割杆１４ａと第４の半割杆１４ｂの先端、すなわち第１の綴杆１２および第２の綴杆１４の頂部において、綴杆係止部５０が形成されている。【００４２】
この実施の形態においては、第１の綴杆１２を構成する第１の半割杆１２ａ及び第２の半割杆１２ｂと第２の綴杆１４を構成する第３の半割杆１４ａ及び第４の半割杆１４ｂとは、同じ形状、すなわち曲率（曲率半径）が同じものである。
第１の綴杆１２を構成する第１の半割杆１２ａ及び第２の半割杆１２ｂは、第１の半割杆１２ａの自由端の綴杆係止部５０と、第２の半割杆１２ｂの自由端の綴杆係止部５０とを係止することにより、環状に連結される。
また、第２の綴杆１４を構成する第３の半割杆１４ａと第４の半割杆１４ｂとは、第３の半割杆１４ａの自由端の綴杆係止部５０と、第４の半割杆１４ｂの自由端の綴杆係止部５０とを係止することにより、環状に連結される。【００４３】
前記綴杆を構成する第１の綴杆１２及び第２の綴杆１４は、図１７に示すように、断面円形状金属製線材を、綴杆係止部５０を外す方向（図１２のＯ1及びＯ2の方向）にのばし、且つ中央部分を押さえることによって綴杆を閉じる方向に対してわん曲させて形成してもよい。そして、図１７図示第１の綴杆１２及び第２の綴杆１４は、中央が綴杆を開く方向（第１の半割杆１２ａ及び第３の半割杆１４ａは、図７のＯ3方向、第２の半割杆１２ｂ及び第４の半割杆１４ｂは、図７のＯ4方向）に膨み且つ両端が綴杆を閉じる方向にわん曲した断面略空豆（ビーンズ）型の形状に形成されている。
すなわち、環状の第１の綴杆１２及び第２の綴杆１４を開閉方向に見て、第１の綴杆１２及び第２の綴杆１４の内側は波状起伏面が形成され、第１の綴杆１２及び第２の綴杆１４の外側は半円弧状に形成されている。そして、第１の綴杆１２及び第２の綴杆１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙の綴じ穴に対応しにくく、用紙の綴じ穴を傷つけるおそれがある。
ところが、綴杆を構成する第１の綴杆１２及び第２の綴杆１４は、細いならば綴杆係止部５０の嵌合がうまくゆかないときがある。
そのために、第１の綴杆１２及び第２の綴杆１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部５０を外す方向に広げて、綴杆係止部５０の嵌合を完全にできるように形成している。【００４４】
第１の綴杆１２及び第２の綴杆１４は、それぞれの基部が第１の作動片３０及び第２の作動片３２に固着された部分（４箇所）を通る左右軸Ｙ1，Ｙ2および前後軸Ｘ1，Ｘ2（第７図図示）を含む平面Ｐxyと垂直な平面を構成するように、第１の作動片３０と第２の作動片３２より立設されている。そして、第１の綴杆１２の軸Ｚ1（第７図図示）が構成する円形面と第２の綴杆１４の軸Ｚ2（第７図図示）が構成する円形面とは、平行で、且つ、第１の綴杆１２と第２の綴杆１４が第１の作動片３０と第２の作動片３２と固着された部位を通る平面Ｐxyと垂直となるように構成されている。【００４５】
前記綴杆は、第８図〜第１１図に示すように、直接指で閉じられる主綴杆たる第１の綴杆１２と、該第１の綴杆１２の閉じる方向に向けての作動に追動する副綴杆たる第２の綴杆１４とにより構成されている。
そして、第１の綴杆１２と第２の綴杆１４とは、同一方向（図１１におけるＯ1及びＯ2方向）に向けて、その綴杆係止部５０を指で外すことができるように構成されている。
第１の綴杆１２を構成する第１の半割杆１２ａの先端に形成された綴杆係止部５０を構成する先端の凸部５２ａ及びその凸部５２ａに続く凹部５２ｂと、第２の半割杆１２ｂの綴杆係止部５０を構成する先端の凸部５４ａ及びその先端の凸部５４ａに続く凹部５４ｂとは、第１の綴杆１２を閉じたとき係合するように逆方向に向けて突き出しあるいは凹み形成されている。
凸部５２ａ及び凸部５４ａは、それぞれ先端から内側に向けて湾曲凸面を有する傾斜対向面５２ｃ及び湾曲凸面を有する傾斜対向面５４ｃと、傾斜対向面５２ｃ及び傾斜対向面５４ｃに続き、凸部５２ａ及び凸部５４ａの後端（基部側）から除々に先端側（すなわち閉じる方向）に入り込んだ傾斜対向面５２ｄ及び傾斜対向面５４ｄが形成され、後端近傍が鉤状で、全体として鉤鼻状に形成されている。
凹部５２ｂは、基部側から先端に向けて湾曲凹面を有する傾斜対向面を備え、凹部５４ｂは、同様に基部側から先端に向けて湾曲凹面を有する傾斜対向面を備えている。
また、第２の綴杆１４を構成する第３の半割杆１４ａの先端に形成された綴杆係止部５０を構成する凸部５６ａ及びその凸部５６ａに続く凹部５６ｂと、第４の半割杆１４ｂの綴杆係止部５０を構成する先端の凸部５８ａ及びその先端の凸部５８ａに続く凹部５８ｂとは、第２の綴杆１４を閉じたとき係合するように逆方向に向けて突き出しあるいは凹み形成されている。
凸部５６ａ及び凸部５８ａは、それぞれ先端から内側に向けて湾曲凸面を有する傾斜対向面５６ｃ及び湾曲凸面を有する傾斜対向面５８ｃと、傾斜対向面５６ｃ及び傾斜対向面５８ｃに続き、凸部５６ａ及び凸部５８ａの後端（基部側）から除々に先端側（すなわち閉じる方向）に入り込んだ傾斜対向面５６ｄ及び傾斜対向面５８ｄが形成され、後端近傍が鉤状で、全体として鉤鼻状に形成されている。
凹部５６ｂは、基部側から先端に向けて湾曲凹面を有する傾斜対向面を備え、凹部５８ｂは、同様に湾曲凹面を有する傾斜対向面を備えている。【００４６】
第１の半割杆１２ａの綴杆係止部５０を構成する凸部５２ａ及び第３の半割杆１４ａの綴杆係止部５０を構成する凸部５６ａは、同一方向に向けて突き出し設けられ、先端部から基部側にかけて形成された湾曲凸面を備え、両方が同一形状に形成されている。
また、第１の半割杆１２ａの綴杆係止部５０を構成する凹部５２ｂ及び第３の半割杆１４ａの綴杆係止部５０を構成する凹部５６ｂは、同一方向に向けて凹み形成され、凸部５４ａ及び凸部５６ａの後端から基部側にかけて形成された湾曲凹面を備え、両方が同一形状に形成されている。
第２の半割杆１２ｂの綴杆係止部５０を構成する凸部５４ａ及び第４の半割杆１４ｂの綴杆係止部５０を構成する凸部５８ａは、同一方向に向けて突き出し設けられ、先端部から基部側にかけて形成された湾曲凸面を備え、両方が同一形状に形成されている。
また、第２の半割杆１２ｂの綴杆係止部５０を構成する凹部５４ｂ及び第４の半割杆１４ｂの綴杆係止部５０を構成する凹部５８ｂは、同一方向に向けて凹み形成され、凸部５４ａ及び凸部５８ａの後端から基部側にかけて形成された湾曲凹面を備え、両方が同一形状に形成されている。
第１の半割杆１２ａの凸部５２ａ及び凹部５２ｂと第２の半割杆１２ｂの凸部５４ａ及び凹部５４ｂとは点対称に形成され、第３の半割杆１４ａの凸部５６ａ及び凹部５６ｂと第４の半割杆１４ｂの凸部５８ａ及び凹部５８ｂとは点対称に形成されている。【００４７】
第１の綴杆１２の凸部５２ａの傾斜対向面５２ｃ及び凹部５４ｂの傾斜対向面は、第１の綴杆１２の軸方向とは斜交するように形成され、開閉するときには、傾斜対向面５２ｃと凹部５４ｂの傾斜対向面とが一点を共有し合う内接関係で接する。
第１の綴杆１２の凸部５２ａの傾斜対向面５２ｃ及び凸部５４ａの傾斜対向面５４ｃは、第１の綴杆１２の軸方向とは斜交するように形成され、開閉するときには、傾斜対向面５２ｃと傾斜対向面５４ｃとが一点を共有し合う外接関係で接する。
第２の綴杆１４の凸部５６ａの傾斜対向面５６ｃ及び凹部５８ｂの傾斜対向面は、第２の綴杆１４の軸方向とは斜交するように形成され、開閉するときには、傾斜対向面５６ｃと凹部５８ｂの傾斜対向面とが一点を共有し合う内接関係で接する。
第２の綴杆１４の凸部５６ａの傾斜対向面５６ｃ及び凸部５８ａの傾斜対向面５８ｃは、第２の綴杆１４の軸方向とは斜交するように形成され、開閉するときには傾斜対向面５６ｃと傾斜対向面５８ｃとが一点を共有し合う外接関係で接する。【００４８】
主綴杆たる第１の綴杆１２を２本の指で挟んで綴杆を閉じ始めるとき、第２の綴杆１４の第３の半割杆１４ａの凸部５６ａと第２の綴杆１４の第４の半割杆１４ｂの凹部５８ｂとが当接する前に（図１９参照）、第１の綴杆１２の第１の半割杆１２ａの凸部５２ａと第１の綴杆１２の第２の半割杆１２ｂの凸部５４ａとが当接し、更に第１の綴杆１２を閉じるように作動させると、第１の綴杆１２の第１の半割杆１２ａの凹部５２ｂが第２の半割杆１２ｂの凸部５４ａ上を摺動するとともに、第１の綴杆１２の第１の半割杆１２ａの凸部５２ａが第２の半割杆１２ｂの凹部５４ｂに嵌合される正規の係止位置を通り過ぎて、第１の半割杆１２ａの凸部５２ａが第２の半割杆１２ｂの凹部５４ｂの傾斜対向面上を摺動してずり上がる（図２０参照）。
このように、第１の綴杆１２を閉じる方向に作動させると、第２の綴杆１４の第３の半割杆１４ａの凸部５６ａと第２の綴杆１４の第４の半割杆１４ｂの凸部５８ａとが当接し、更に、第１の綴杆１２を閉じるように作動させると、第２の綴杆１４の第３の半割杆１４ａの凸部５６ａが第４の半割杆１４ｂの凸部５８ａの傾斜対向面５８ｃ上を摺動し（図１９参照）、更に第１の綴杆１２の第１の半割杆１２ａの凸部５２ａが第２の半割杆１２ｂの凹部５４ｂの傾斜対向面をずり上がると、第２の綴杆１４の第３の半割杆１４ａの凸部５６ａ（第４の半割杆１４ｂの凸部５８ａ）が第４の半割杆１４ｂの凹部５８ｂ（第３の半割杆１４ａの凹部５６ｂ）に嵌まり込み嵌合する（図２０参照）。
その後、第１の綴杆１２から指を離し閉じる力を解放すると、開閉部材４０の作用により第１の綴杆１２はわずかに開く方向に逆戻りして、第１の綴杆１２は、第２の綴杆１４と同様に、第１の半割杆１２ａの凸部５２ａ（第２の半割杆１２ｂの凸部５４ａ）が第２の半割杆１２ｂの凹部５４ｂ（第１の半割杆１２ａの凹部５２ｂ）に嵌まり込み嵌合する（図２１参照）。【００４９】
綴杆を閉じるとき、第１の作動片３０及び第２の作動片３２は、山折り状態（図１５参照）から徐々に平面状態（中立状態）となり、更に平面状態（中立状態）から谷折り状態（図１０参照）に変わるとともに、同列に並んだ状態から、一旦綴杆係止部５０の外れる方向（第１の作動片３０はＯ1方向、第２の作動片３２はＯ2方向）に移動して、たがいちがいに並んだ状態となり（図２０参照）、その後逆戻りして同列に並ぶ。
それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に当接し、且つ移動規制部を構成する第２の作動片３２の規制凸起３２ｇが第１の作動片３０の規制凹部３０ｆ内を移動して、規制凹部３０ｆにおける綴杆係止部５０の外れる方向とは反対側の端縁に当接する（図２０参照）。そのために、綴杆を閉じるとき、第１の綴杆１２の第１の半割杆１２ａの凸部５２ａが第２の半割杆１２ｂの凹部５４ｂに嵌合される正規の停止位置を通り過ぎて、第１の半割杆１２ａの凸部５２ａが第２の半割杆１２ｂの凹部５４ｂの傾斜対向面上を摺動してずり上がりオーバーランするとき、第１の綴杆１２の移動距離を規制して適宜な位置でオーバーランが停止され、第１の綴杆１２の綴杆係止部５０から指を外せば開閉部材４０の元の状態に戻ろうとする力が作用して、第１の作動片３０及び第２の作動片３２は、一旦綴杆係止部５０の外れる方向（第１の作動片３０はＯ1方向、第２の作動片３２はＯ2方向）に移動してたがいちがいに並んだ状態から、逆戻りして同列に並び、綴杆係止部５０が嵌合する（図１９及び２０参照）。【００５０】
このように、主綴杆たる第１の綴杆１２を閉じ始めると、直接指で閉じられない副綴杆たる第２の綴杆１４が閉じる方向に移動を始め、更に第１の綴杆１２が閉じて正規の係止位置を通り過ぎるまで移動すると、第２の綴杆１４の係合が進み第１の綴杆１２より先に第２の綴杆１４が完全に係止されるので、直接指で閉じられない副綴杆たる第２の綴杆１４が確実に係止された後、主綴杆たる第１の綴杆１２が確実に係止される。
したがって、第１の綴杆１２を指で摘んで先に閉じる方向に移動させたときに、オーバーランするように第１の綴杆１２を摘まめば、確実に第２の綴杆１４を正規の位置に係止でき、第１の綴杆１２の操作のみで、閉じることができる。
このように、第１の綴杆１２を指で操作することにより第２の綴杆１４を閉じることができるので、ワンタッチ綴具としての利便性が高い。【００５１】
また、第１の綴杆１２の頂部を指でねじることにより第１の綴杆１２の綴杆係止部５０を外したとき、第１の作動片３０と第２の作動片３２には、開閉部材４０が元の状態に戻ろうとする力、すなわち一方の固定先端部４２ａと他方の固定先端部４２ｂとが、図６（Ａ）に示すように、巻線部４４の円周方向に平行であった元の状態に戻ろうとするように力が働くことにより、第１の綴杆１２は開く。
そして、第１の綴杆１２及び第２の綴杆１４は、その綴杆係止部５０が外され（図１１参照）、第１の作動片３０及び第２の作動片３２は、谷折り状態から徐々に平面状態（中立状態）となり更に平面状態から山折り状態に変わるとともに、綴杆係止部５０の外れる方向（第１の作動片３０はＯ1方向、第２の作動片３２はＯ2方向）に移動する。それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に突き当たり、且つ移動規制部を構成する第２の作動片３２の規制凸起３２ｇが第１の作動片３０の規制凹部３０ｆ内を移動して、規制凹部３０ｆにおける綴杆係止部５０の外れる方向とは反対側の端縁に突き当たる。
第１の綴杆１２から手を離すと、第１の綴杆１２及び第２の綴杆１４は、開閉部材４０の一方の固定先端部４２ａと他方の固定先端部４２ｂとが、図６（Ａ）に示すように、巻線部４４の円周方向に平行であった元の状態に戻ろうとするように第１の作動片３０及び第２の作動片３２に力を働かせることにより、更に開き（第１の半割杆１２ａ及び第３の半割杆１４ａはＯ3方向、第２の半割杆１２ｂ及び第４の半割杆１４ｂはＯ4方向）、且つ、開閉部材４０の固定先端部４２ａと他方の固定先端部４２ｂとを平面視平行とするように力が働くことにより、第１の作動片３０と第２の作動片３２とは、逆方向に移動する（図１４参照）。
すなわち、作動部材１８及び開閉部材４０は、第２の綴杆１４を構成する第３の半割杆１４ａの凸部５６ａと第４の半割杆１４ｂの凸部５８ａとを開く方向に作用し、そして、第１の綴杆１２の第１の半割杆１２ａの凸部５２ａと第２の半割杆１２ｂの凸部５４ａとを引き離す方向に作用するとともに、第２の綴杆１４を構成する第３の半割杆１４ａの凸部５６ａと第４の半割杆１４ｂの凸部５８ａとを引き離すように作用する。【００５２】
このように、この実施の形態においては、第１の綴杆１２又は第２の綴杆１４の頂部を指でねじることにより、第１の綴杆１２の第１の半割杆１２ａおよび第２の半割杆１２ｂの綴杆係止部５０と、第２の綴杆１４の第３の半割杆１４ａおよび第４の半割杆１４ｂの綴杆係止部５０を外すことができる。【００５３】
また、第１の綴杆１２の第１の半割杆１２ａと第２の半割杆１２ｂの綴杆係止部５０および第２の綴杆１４の第３の半割杆１４ａと第４の半割杆１４ｂの綴杆係止部５０の係合を解除したとき、作動部材１８は、開閉部材４０の一方の固定先端部４２ａと他方の固定先端部４２ｂとが巻線部４４の円周方向において近づこうとする力が働くことにより、第１の作動片３０の突き合わせ縁３０ａと第２の作動片３２の突き合わせ縁３２ａとが、山折り状態になる。【００５４】
次に、作動部材１８を保持部材１６の保持空間内に装填する方法について、主として図１６ないし２１に基づいて説明する。
まず、第１の作動片３０を保持部材１６内に装填し、次に第２の作動片３２を保持部材１６内に装填する。このとき、突出部３０ｃが第１の貫通孔２６（左右一対の貫通孔２６のうち、一方の貫通孔２６である平面視右側の貫通孔２６）内に通り、突出部３２ｃが、第２の貫通孔２８（左右一対の貫通孔２８のうち、一方の貫通孔２８である平面視右側の貫通孔２８）内に通り、係合部３０ｄ及び係合部３０ｅと係合部３２ｄ及び係合部３２eとは、第１の作動片３０及び第２の作動片３２の下側すなわち保持部材１６の被綴じ物載置部２２とは反対側に位置している。
そこで、第１の作動片３０の隙間３４と第２の作動片３２の隙間３４との間に棒状治具Ｇを押し込み、第１の作動片３０と第２の作動片３２の間をあけるようにして、係合部３０ｄ及び係合部３０ｅと係合部３２ｄ及び係合部３２ｅとを第１の作動片３０及び第２の作動片３２の上側すなわち保持部材１６の被綴じ物載置部２２側に入れ込み、その後棒状治具Ｇを抜き、突き合わせ縁３０ａと突き合わせ縁３２ａとを突き合わせる。【００５５】
次に、開閉部材４０を作動部材１８に装填する方法について、図２２ないし２４に基づいて説明する。
固定先端部４２ａ及び固定先端部４２ｂが延ばされた側を、下側、すなわち保持部材１６の被綴じ物載置部２２とは反対側に位置させ、巻線部４４の貫通孔内に開閉部材固定部３６ｂ及び開閉部材固定部３８ｂを挿入して、空隙部３６ａと空隙部３８ａとの間に開閉部材４０を装填する。
固定先端部４２ａのＬ字型の支持部位（中間部４７ａ及び係止端部４８ａ）を第１の作動片３０側に延ばして第１の作動片３０の挿入孔３６ｄに挿入し、わずかにずらせて支持部３６ｃに係止させる。
また、固定先端部４２ｂのＬ字型の支持部位（中間部４７ｂ及び係止端部４８ｂ）を第２の作動片３２側に延ばして第２の作動片３２の挿入孔３８ｄに挿入し、わずかにずらせて支持部３８ｃに係止させる。【００５６】
綴具１０を表紙Ａに取り付けるには、保持壁２４ａおよび保持壁２４ｂの下端縁を接合して取付孔２０，２０にボルトナットにより取り付ければよい。
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。【００５７】
次に、前記実施の形態とは別の実施の形態である綴具について説明する。
図３１は、本発明にかかる一実施の形態である綴具を用いたファイルを示す斜視図である。図３２は、本発明にかかる一実施の形態である綴具の一例を示す斜視図であり、図３３は、保持部材の斜視図である。図３４は、作動部材及び開閉部材の斜視図解図である。図３５は、開閉部材の平面図である。図３６は、開閉部材の側面図解図で、（Ａ）は元の状態の側面図解図で（Ｂ）は巻線部の円周方向に力を加えた状態の側面図解図である。図３７は、綴杆及び作動部材の図解図であり、（Ａ）は閉じた状態における綴杆と作動部材を示す平面図解図であり、（Ｂ）は第２の作動片の右側図解図である。図３８は、閉じた状態における綴具の平面図である。図３９は、閉じた状態における綴具の底面図である。図４０は、閉じた状態における綴具の横断面図であり、（Ａ）は、図３９Ａ−Ａ断面図であり、（Ｂ）は、図３９Ｂ−Ｂ断面図である。図４１は、綴杆を開く状態を示す綴具の底面図である。図４２は、綴杆を開く状態を示す綴具の綴杆の図解図である。【００５８】
図３１ないし３２に示す綴具２１０は、厚紙その他の比較的硬質なシート材からなる表紙Ａの略中央に形成される左右一対の折り線の内側の背表紙の内側表面に固定される。固定する方法としては、綴具２１０の長手方向の両端に形成された取付孔２２０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。また、背表紙に対して、例えば、超音波溶着または高周波溶着することにより固着する方法を採用することもできる。【００５９】
綴具２１０は、環状の綴杆を構成する一対のそれぞれ略円環状の金属製の第１の綴杆２１２および第１の綴杆２１２と一対の第２の綴杆２１４と、前記第１の綴杆２１２および第２の綴杆２１４をそれぞれ間隔をおいて設けることができる長さを備えた保持部材２１６と、その表面に第１の綴杆２１２および第２の綴杆２１４が間隔をおいて第１の綴杆２１２および第２の綴杆２１４のそれぞれの基部が固定され、第１の綴杆２１２および第２の綴杆２１４が前記保持部材２１６に固定されるように保持部材２１６の内側に可動自在に固定された作動部材２１８とを備える。【００６０】
この綴具２１０の綴杆は、主綴杆たる第１の綴杆２１２と副綴杆たる第２の綴杆２１４とからなる開閉自在の２穴タイプである。
第１の綴杆２１２と第２の綴杆２１４とは、同一方向に向けて、その綴杆係止部２５０を指で外すことができるように構成されている。
そして、綴杆を閉じるときは、主綴杆たる第１の綴杆２１２を、例えば親指と人差し指で直接挟んで閉じるように構成されており、第１の綴杆２１２を２本の指で挟んで閉じる方向に作動させると、副綴杆たる第２の綴杆２１４は追動するように構成されている。【００６１】
保持部材２１６は、第１の綴杆２１２と第２の綴杆２１４とを所定の間隔をおいて設けることができる長さを備える平面視略長方形で、その両端、すなわち表紙Ａに取り付ける取付孔２２０近傍においては、平面視略半円弧状に形成されている。
保持部材２１６は、第１の綴杆２１２および第２の綴杆２１４を固定する部位より長手方向における外側近傍より内側に向かって、その中央が膨出した断面略半円弧状の被綴じ物載置部２２２を備え、且つ、被綴じ物載置部２２２の内側は保持空間を備え、その保持空間に作動部材２１８等を収容するように構成されている。
保持部材２１６の被綴じ物載置部２２２の両端には、その長手方向に略その一端から他端に亘って、作動部材２１８を摺動自在に保持する保持壁２２４ａ及び保持壁２２４ｂが設けられている。この実施の形態においては、保持部材２１６の長手方向において、第１の綴杆２１２および第２の綴杆２１４のそれぞれの外側近傍より内部に亘って略全体において垂下されるように、保持壁２２４ａおよび保持壁２２４ｂが連設され、保持壁２２４ａと保持壁２２４ｂとは平行で略同一の形状の板状である。
そして、この保持壁２２４ａおよび保持壁２２４ｂと被綴じ物載置部２２２によって囲繞された保持空間内に、後に詳しく説明する作動部材２１８等が収容される。【００６２】
保持部材２１６の被綴じ物載置部２２２には、第１の綴杆２１２と第２の綴杆２１４とを、一定の間隔（日本工業規格等で決められている一定の長さ）をおいて遊貫するための第１の貫通孔２２６と第２の貫通孔２２８がそれぞれ穿設されている。
第１の貫通孔２２６と第２の貫通孔２２８とは、第１の綴杆２１２を構成する第１の半割杆２１２ａおよび第２の半割杆２１２ｂと、第２の綴杆２１４を構成する第３の半割杆２１４ａおよび第４の半割杆２１４ｂとに対応して、保持部材２１６の幅方向において左右に分かれて一定の間隔をおいて、２つずつ穿設されている。【００６３】
作動部材２１８は、平面視略長方形状金属板からなる一対の第１の作動片２３０および第２の作動片２３２からなる。
第１の作動片２３０及び第２の作動片２３２は、その長手方向において、保持壁２２４ａ及び保持壁２２４ｂと平行でその内面に摺動する外側端縁２３０ｂ及び外側端縁２３２ｂが形成され、該外側端縁２３０ｂ及び外側端縁２３２ｂと平行に当該一対の第１の作動片２３０及び第２の作動片２３２を突き合わせる突き合わせ縁２３０ａ及び突き合わせ縁２３２ａが内側縁に形成されている。第１の作動片２３０及び第２の作動片２３２は、点対称で、保持部材２１６の保持空間内において各々をその長手方向において並置したとき、各々その内側縁において屈曲自在に係合する。すなわち、その突き合わせ縁２３０ａおよび突き合わせ縁２３２ａが突き合わされ且つ外側端縁２３０ｂおよび外側端縁２３２ｂが保持部材２１６の保持壁２２４ａおよび保持壁２２４ｂの両壁内内側面に接し合わされる。【００６４】
そして、第１の作動片２３０および第２の作動片２３２は、外側から力が加わらないときには、第１の作動片２３０と第２の作動片２３２とが谷折り、すなわち保持部材２１６の被綴じ物載置部２２２の内面より離れた方向（突き合わせ縁２３０ａおよび突き合わせ縁２３２ａが、図３７図示平面Ｐxyより下側）に向いて、あるいはまた、山折り、すなわち保持部材２１６の被綴じ物載置部２２２の内面に近づいた方向（突き合わせ縁２３０ａおよび突き合わせ縁２３２ａが図３７図示平面Ｐxyより上側）に向いて、その谷折りまたは山折りの状態を維持するように、保持部材２１６の内側空間部に内設されている。
平面Ｐxyとは、第１の綴杆２１２と第２の綴杆２１４それぞれの基部が第１の作動片２３０と第２の作動片２３２に固着された部分（４箇所）を通る左右軸Ｙ1，Ｙ2および前後軸Ｘ1，Ｘ2（図３７図示）を含む平面である。【００６５】
作動部材２１８は、一方の作動片、すなわち第１の作動片２３０における保持部材２１６の被綴じ物載置部２２２の内側面と対向する表面（すなわち上面）には、第１の綴杆２１２を構成する第１の半割杆２１２ａの基部が固定され、且つ、前記第１の半割杆２１２ａとは一定の間隔をおいて、第２の綴杆２１４を構成する第３の半割杆２１４ａの基部が固定されている。
また、他方の作動片、すなわち第２の作動片２３２における保持部材２１６の被綴じ物載置部２２２と対向する表面（すなわち上面）には、第１の綴杆２１２を構成する第２の半割杆２１２ｂの基部が固定され、且つ、前記第２の半割杆２１２ｂと一定の間隔をおいて、第２の綴杆２１４を構成する第４の半割杆２１４ｂの基部が固定されている。【００６６】
一対の作動片、すなわち第１の作動片２３０及び第２の作動片２３２は、前記保持部材２１６に形成された前記貫通孔、すなわち第１の貫通孔２２６と第２の貫通孔２２８とに通される突出部２３０ｃおよび突出部２３２ｃが形成されている。そして、一対の第１の作動片２３０及び第２の作動片２３２は、前記突出部２３０ｃおよび突出部２３２ｃが前記第１の貫通孔２２６及び第２の貫通孔２２８に通された状態で突き合わされている。第１の作動片２３０及び第２の作動片２３２は、突き合わせ縁２３０ａおよび突き合わせ縁２３２ａが、綴杆、すなわち第１の綴杆２１２及び第２の綴杆２１４を開いた際には前記保持部材２１６の内面に近づき且つ前記第１の綴杆２１２及び第２の綴杆２１４を閉じた際には前記保持部材２１６の内面から離れるように、前記第１の綴杆２１２及び第２の綴杆２１４を開閉する方向に回動可能に、前記保持部材２１６に保持される。【００６７】
第１の作動片２３０及び第２の作動片２３２は、一対の作動片が突き合わされる略直線状の突き合わせ縁２３０ａ及び突き合わせ縁２３２ａが内側に形成され、前記突き合わせ縁２３０ａ及び突き合わせ縁２３２ａと略平行な略直線状の外側端縁２３０ｂ及び外側端縁２３２ｂが外側に形成されている。
前記突出部２３０ｃは、第１の半割杆２１２ａと第３の半割杆２１４ａの基部の取付け位置に近い位置で前後一対形成され、且つ、突出部２３２ｃは、第２の半割杆２１２ｂと第４の半割杆２１４ｂの基部の取付け位置に近い位置で前後一対形成され、第１の綴杆２１２及び第２の綴杆２１４の開閉ができるように、保持部材２１６の保持壁２２４ａ及び２２４ｂより外側に突出している。
突出部２３０ｃ及び２３２ｃは、保持部材２１６の貫通孔（第１の貫通孔２２６及び第２の貫通孔２２８）より外側に突き出る長さと、作動部材２１８が保持部材２１６の長手方向に移動可能な幅とを有する舌状である。
作動片は、金属またプラスチックの薄板からなり、作動片と突出部とは一体成形されてなる。【００６８】
前記第１の作動片２３０は、一対の作動片を係合させるための係合部２３０ｄ及び係合部２３０ｅが、第１の作動片２３０の突き合わせ縁２３０ａから第２の作動片２３２の突き合わせ縁２３２ａに向けて突き出し設けられ、且つ、一対の作動片を係合させるための係合部２３２ｄ及び係合部２３２ｅが、第２の作動片２３２の突き合わせ縁２３２ａから第１の作動片２３０の突き合わせ縁２３０ａに向けて突き出し設けられている。
係合部２３０ｄ及び係合部２３０ｅと係合部２３２ｄ及び係合部２３２ｅは、対向する第１の作動片２３０及び第２の作動片２３２の上側に向けて延びて突き合わせ縁２３０ａ及び突き合わせ縁２３２ａを中心にして第１の作動片２３０と第２の作動片２３２とが揺動するように形成されている。【００６９】
係合部２３０ｄ及び係合部２３０ｅと係合部２３２ｄ及び係合部２３２ｅは、保持部材２１６の被綴じ物載置部２２２の内面側に向けて、作動部材２１８の厚み分を突き出された基部と、前記基部の先端より突き出された押さえ部とを備えた平面視略Ｕ字状に形成されている。そして、押さえ部は、一対の作動片たる第１の作動片２３０及び第２の作動片２３２のうちの片一方の作動片たる第１の作動片２３０または第２の作動片２３２のはずれ止めの機能を備え、係合部２３０ｄ及び係合部２３０ｅと係合部２３２ｄ及び係合部２３２ｅは、保持部材２１６の被綴じ物載置部２２２の内面側に向けて突き出されて、一対の作動片たる第１の作動片２３０及び第２の作動片２３２の片一方の作動片、すなわち第１の作動片２３０または第２の作動片２３２の保持部材２１６の被綴じ物載置部２２２の内面側において接している。
最も外側の係合部２３０ｅ及び係合部２３２ｅは、第１の作動片２３０と第２の作動片２３２を逆方向に移動させたときにおいても作動部材２１８の端縁より内側に位置する幅を備えている。【００７０】
最も外側の係合部２３０ｅ及び２３２ｅと内側の係合部２３０ｄ及び２３２ｄとは、第１の綴杆２１２及び第２の綴杆２１４の基部が取付けられた部位を挟んで適宜な間隔をおいて形成され、分かれた最も外側の係合部２３０ｅ及び２３２ｅと内側の係合部２３０ｄ及び２３２ｄとの間において第１の作動片２３０と第２の作動片２３２の突き合わせ縁２３０ａ及び突き合わせ縁２３２ａに棒状治具Ｇを挿入するための隙間２３４が形成されている。【００７１】
そして、前記第１の綴杆２１２および第２の綴杆２１４が閉じるときには、図４０に示すように、作動部材２１８を構成する第１の作動片２３０及び第２の作動片２３２は、その突き合わせ縁２３０ａおよび突き合わせ縁２３２ａが保持部材２１６の内面（被綴じ物載置部２２２の内面）より離れた方向に向いて（すなわち谷折りの状態）、第１の作動片２３０の突き合わせ縁２３０ａと第２の作動片２３２の突き合わせ縁２３２ａとが突き合わされた状態において保持されるとともに、前記第１の綴杆２１２および第２の綴杆２１４を開くときには、図４５に示すように、作動部材２１８を構成する第１の作動片２３０及び第２の作動片２３２は、保持部材２１６の内面（被綴じ物載置部２２２の内面）に近づいた方向に向いて（すなわち山折り状態）、第２の作動片２３２の突き合わせ縁２３２ａとが突き合わされた状態に保持されるように保持部材２１６内の空間において固定される。【００７２】
また、作動部材２１８を構成する第１の作動片２３０及び第２の作動片２３２は、保持部材２１６の被綴じ物載置部２２２の内面に近づいた方向、すなわち山折りの状態においては、第１の作動片２３０と第２の作動片２３２の長手方向、すなわち第１の作動片２３０と第２の作動片２３２に固着された第１の半割杆２１２ａと第３の半割杆２１４ａとを結ぶ線（Ｘ1（図３７図示））および第２の半割杆２１２ｂと第４の半割杆２１４ｂとを結ぶ線（Ｘ2（図３７図示））と平行な方向に、第１の作動片２３０と第２の作動片２３２とを移動させることができるように摺動自在に内設されている。【００７３】
第１の作動片２３０及び第２の作動片２３２は、空隙部２３６ａ及び空隙部２３８ａと開閉部材固定部２３６ｂ及び開閉部材固定部２３８ｂの外側近傍において、第１の作動片２３０及び第２の作動片２３２の長手方向への移動を規制する移動規制部が形成される。
移動規制部は、第１の作動片２３０の突き合わせ縁２３０ａに形成された規制凹部２３０ｆ及び規制凸起２３０ｇと、第２の作動片２３２の突き合わせ縁２３２ａに形成された規制凹部２３２ｆ及び規制凸起２３２ｇとから形成される。
規制凹部２３０ｆは、開閉部材固定部２３６ｂの外側近傍において、突き合わせ縁２３０ａより幅方向において凹んだ平面視コ字型の穴であり、規制凸起２３２ｇは、前記規制凹部２３０ｆと遊嵌するように形成された平面視コ字型の凸起であり、規制凹部２３０ｆに規制凸起２３２ｇが遊嵌されて、規制凹部２３０ｆ内において第１の作動片２３０及び第２の作動片２３２がその長手方向に互い違いに移動するように形成されている。
規制凹部２３２ｆは、開閉部材固定部２３８ｂの外側近傍において、突き合わせ縁２３２ａより幅方向において凹んだ平面視コ字型の穴であり、規制凸起２３０ｇは、前記規制凹部２３２ｆと遊嵌するように形成された平面視コ字型の凸起であり、規制凹部２３２ｆに規制凸起２３０ｇが遊嵌されて、規制凹部２３２ｆ内において第１の作動片２３０及び第２の作動片２３２がその長手方向に互い違いに移動するように形成されている。【００７４】
第１の作動片２３０の突き合わせ縁２３０ａ及び第２の作動片２３２の突き合わせ縁２３２ａに、第１の綴杆２１２と第２の綴杆２１４とを開閉方向に変化させる開閉部材２４０が設けられている。
開閉部材２４０は、ねじりコイルバネからなり、巻線部２４４と巻線部２４４の両端から巻線部２４４の中心軸と直交する方向に伸びる固定先端部２４２ａと固定先端部２４２ｂとが連設され、ねじりモーメントが発生しない元の状態は、図３６（Ａ）に示すように、巻線部２４４の円周方向に固定先端部２４２ａと固定先端部２４２ｂとが平行に突き出されている。固定先端部２４２ａ及び固定先端部２４２ｂは、巻線部２４４から突き出された直線状の固定部２４６ａおよび固定部２４６ｂと、該固定部２４６ａ及び固定部２４６ｂの自由端側に連設された中間部２４７ａ及び中間部２４７ｂと、該中間部２４７ａ及び中間部２４７ｂの固定部２４６ａ及び固定部２４６ｂとは反対側の自由端側に連設された係止端部２４８ａ及び係止端部２４８ｂとを備えている。そして、固定部２４６ａ及び固定部２４６ｂと中間部２４７ａ及び中間部２４７ｂとは直交し、中間部２４７ａ及び中間部２４７ｂと係止端部２４８ａ及び係止端部２４８ｂとは直交している。
ねじりモーメントが発生しない元の状態においては、一方の固定部２４６ａともう一方の固定部２４６ｂ及び一方の係止端部２４８ａともう一方の係止端部２４８ｂとは平行になるように形成されている。【００７５】
この綴具２１０を構成する第１の作動片２３０の突き合わせ縁２３０ａの略中央付近には、空隙部２３６ａが形成され、且つ、第２の作動片２３２の突き合わせ縁２３２ａの略中央付近にも、空隙部２３８ａが形成されるとともに、前記空隙部２３６ａの一方端には、開閉部材２４０を係止する開閉部材固定部２３６ｂが突設され、且つ、前記空隙部２３８ａの一方端には、開閉部材２４０を係止する開閉部材固定部２３８ｂが突設されている。
前記開閉部材固定部２３６ｂ及び前記開閉部材固定部２３８ｂは、第１の作動片２３０に第１の綴杆２１２が固定された基部を結ぶ線Ｘ1、または第２の作動片２３２に第２の綴杆２１４が固定された基部を結ぶ線Ｘ2の延びる方向に離れて形成されている。【００７６】
そして、開閉部材２４０は、前記開閉部材固定部２３６ｂ及び開閉部材固定部２３８ｂに巻線部２４４の両端が係止されて前記空隙部２３６ａ及び空隙部２３８ａに収納される。
そして、前記開閉部材２４０の巻線部２４４の両端から延びる先端部を支持するために、前記作動部材２１８に支持部２３６ｃ及び支持部２３８ｃが形成されている。
前記開閉部材２４０の巻線部２４４の両端から延びる固定先端部は、第１の作動片２３０の支持部２３６ｃ及び第２の作動片２３２の支持部２３８ｃに係止され、支持されている。
すなわち、一方の固定先端部２４２ａは、巻線部２４４端部が係止される前記開閉部材固定部２３８ｂが形成された第２の作動片２３２に対向する第１の作動片２３０の支持部２３６ｃに支持され、またもう一方の固定先端部２４２ｂは、開閉部材固定部２３６ｂが形成された第１の作動片２３０に対向する第２の作動片２３２の支持部２３８ｃに支持されている。【００７７】
固定先端部２４２ａ及び固定先端部２４２ｂは、固定部２４６ａ及び固定部２４６ｂの長さが一定であり、中間部２４７ａが作動部材２１８の支持部２３６ｃに及び中間部２４７ｂが作動部材２１８の支持部２３８ｃに係止されるために、第１の作動片２３０の突き合わせ縁２３０ａ及び第２の作動片２３２の突き合わせ縁２３２ａにおいて突き合わされた第１の作動片２３０と第２の作動片２３２との間における距離を、一定に保ち、第１の作動片２３０と第２の作動片２３２とを引き寄せてそれぞれの位置関係を最適な状態に保つ。
したがって、綴杆を構成する第１の綴杆２１２及び第２の綴杆２１４の開閉時において、第１の作動片２３０及び第２の作動片２３２が突き合わせ縁２３０ａ及び突き合わせ縁２３２ａを枢軸として揺動するときにおいて、第１の作動片２３０の幅と第２の作動片２３２の幅との和が最大になったとき、すなわち、第１の作動片２３０と第２の作動片２３２とが平面状態（中立状態）になったときにおいても、第１の作動片２３０の最も外側の縁と保持部材２１６の保持壁２２４ａとの間及び第２の作動片２３２の最も外側の縁と保持部材２１６の保持壁２２４ｂとの間に適宜な間隙が生じ、保持部材２１６の保持空間内において作動部材２１８の第１の作動片２３０及び第２の作動片２３２が円滑に移動できる。【００７８】
前記半割杆が組み合わされて第１の綴杆２１２及び第２の綴杆２１４が形成されているとき、前記保持部材２１６の長手方向における前記開閉部材２４０の両側の先端部間の距離（固定先端部２４２ａの係止端部２４８ａと固定先端部２４２ｂの係止端部２４８ｂとの間の距離）は、前記巻線部２４４の両端の距離と略々同一に形成されている。
そして、１対の前記第１の作動片２３０及び第２の作動片２３２は、前記保持部材２１６の長手方向において互いに逆方向に移動させることにより、前記半割杆の組み合わせによる前記第１の綴杆２１２及び第２の綴杆２１４が分離され、前記第１の綴杆２１２及び第２の綴杆２１４が分離されたときに、前記開閉部材２４０の両先端部が平面視略平行な状態から互いにやや離れる方向にわん曲した後に略平行となった状態で、前記開閉部材２４０は、前記第１の作動片２３０と第２の作動片２３２とを付勢して、前記第１の半割杆２１２ａと第２の半割杆２１２ｂ及び第３の半割杆２１４ａと第４の半割杆２１４ｂとを開放させる。【００７９】
開閉部材固定部２３６ｂ及び開閉部材固定部２３８ｂは、直線状の突き合わせ縁２３０ａ及び突き合わせ縁２３２ａに一直線状に並ぶように、空隙部２３６ａ及び空隙部２３８ａの中央に向けて突き出され、開閉部材２４０の巻線部２４４の内側に形成された貫通孔内に挿入される太さと長さを有するように形成されている。【００８０】
支持部２３６ｃ及び支持部２３８ｃは、第１の作動片２３０及び第２の作動片２３２の長手方向（第１の作動片２３０はＯ1方向、第２の作動片２３２はＯ2方向（図３７図示））にのびる細孔であり、固定先端部２４２ａ及び固定先端部２４２ｂを第１の作動片２３０及び第２の作動片２３２の一方主面から他方主面に向けて挿入するための挿入孔２３６ｄ及び挿入孔２３８ｄに連続して設けられている。【００８１】
一方の固定先端部２４２ａと他方の固定先端部２４２ｂとは、図３６（Ａ）に示すように元々平行状態にあったが、固定先端部２４２ａ及び固定先端部２４２ｂは、第１の作動片２３０および第２の作動片２３２のそれぞれの長手方向、すなわち第１の作動片２３０の第１の半割杆２１２ａを固定する部位と第３の半割杆２１４ａを固定する部位とを結ぶ線（Ｘ1（第３７図図示））および第２の作動片２３２の第２の半割杆２１２ｂを固定する部位と第４の半割杆２１４ｂを固定する部位とを結ぶ線（Ｘ2（第３７図図示））と略々直交する方向に架け渡されている。
さらに、開閉部材２４０が開き始めたときは、元々ほぼ平行に接近していた固定先端部２４２ａ（特に固定部２４６ａ）と固定先端部２４２ｂ（特に固定部２４６ｂ）とは、図４１において示すようにわずかに引き離されて、固定先端部２４２ａが第２の作動片２３２に係止され且つ固定先端部２４２ｂが第１の作動片２３０に係止されてねじられた状態になる。【００８２】
固定先端部２４２ａは、第２の作動片２３２の空隙部２３８ａの側から開閉部材固定部２３８ｂの下面を通り第１の作動片２３０の下面より支持部２３６ｃの上面に至るように架け渡されている。
固定先端部２４２ｂは、第１の作動片２３０の空隙部２３６ａの側から開閉部材固定部２３６ｂの下面を通り第２の作動片２３２の下面より支持部２３８ｃの上面に至るように架け渡されている。
したがって、固定先端部２４２ａは、第１の作動片２３０に装填し易く第１の作動片２３０を下面側に向けて強い力で回転して開くように機能し、固定先端部２４２ｂは、第２の作動片２３２に装填し易く第２の作動片２３２を下面側に向けて強い力で回転して開くように機能する。【００８３】
そして、開閉部材２４０の弾性により、作動部材２１８を構成する第１の作動片２３０及び第２の作動片２３２は、第１の綴杆２１２と第２の綴杆２１４を手で開き始めたとき、すなわち、第１の綴杆２１２と第２の綴杆２１４のそれぞれの綴杆係止部２５０を外したとき、第１の綴杆２１２の第１の半割杆２１２ａと第２の半割杆２１２ｂとが離れる方向（第１の半割杆２１２ａはＯ1方向で、第２の半割杆２１２ｂはＯ2方向（第３７図図示））および第２の綴杆２１４の第３の半割杆２１４ａと第４の半割杆２１４ｂとが離れる方向（第３の半割杆２１４ａはＯ1方向で、第４の半割杆２１４ｂはＯ2方向（第３７図図示））に移動するとともに、ねじられていた開閉部材２４０が元の状態に戻ろうとして、第１の半割杆２１２ａと第２の半割杆２１２ｂとをおよび第３の半割杆２１４ａと第４の半割杆２１４ｂとを巻線部２４４の円周方向（第１の半割杆２１２ａおよび第３の半割杆２１４ａはＯ3方向、第２の半割杆２１２ｂおよび第４の半割杆２１４ｂはＯ4方向）に引き離すように作用する。
すなわち、開閉部材２４０の弾性により、第１の作動片２３０は、綴杆係止部２５０を外す方向（Ｏ1方向）に移動し、第２の作動片２３２は、綴杆係止部２５０を外す方向（Ｏ2方向）に移動する。【００８４】
そして、開閉部材２４０の弾性により、作動部材２１８を構成する第１の作動片２３０は、綴杆係止部２５０を閉じる位置の方向（Ｏ1とは反対の方向）に移動し、且つ、第２の作動片２３２は、綴杆係止部２５０を閉じる位置の方向（Ｏ2とは反対の方向）に移動する。
すなわち、第１の作動片２３０及び第２の作動片２３２は、谷折り状態から徐々に平面状態（中立状態）となり、更に平面状態（中立状態）から山折り状態に変わる。第１の綴杆２１２及び第２の綴杆２１４は、開く方向（第１の半割杆２１２ａ及び第３の半割杆２１４ａはＯ3方向、第２の半割杆２１２ｂ及び第４の半割杆２１４ｂはＯ4方向）に回転して開く。
開閉部材２４０は、第１の綴杆２１２と第２の綴杆２１４とを開いた状態にしたとき、第１の作動片２３０の突き合わせ縁２３０ａと第２の作動片２３２の突き合わせ縁２３２ａとが山折り状態、すなわち、保持部材２１６の被綴じ物載置部２２２の内側面に近づいた状態に保持するように作用する。【００８５】
保持部材２１６の被綴じ物載置部２２２には、被綴じ物載置部２２２の長手方向に延びる膨出部２２２ａが形成され、膨出部２２２ａは、係合部２３０ｄ及び２３２ｅが上側に向いて回転し且つ係合部２３０ｅ及び２３２ｄが上側に向いて回転するとともに、開閉部材２４０が上側に向いて移動したときに、被綴じ物載置部２２２の内面と当接しないようにするために、被綴じ物載置部２２２の長手方向に延びて形成されている。【００８６】
第１の綴杆２１２は、略円環状の綴杆となるように、半円弧状の第１の半割杆２１２ａと第２の半割杆２１２ｂとから構成され、第２の綴杆２１４は、略円環状の綴杆となるように、半円弧状の第３の半割杆２１４ａと第４の半割杆２１４ｂとから構成されている。そして、用紙Ｓに予め穿設された綴じ孔に挿通して、用紙Ｓを綴じることができるように、第１の半割杆２１２ａおよび第２の半割杆２１２ｂと、第３の半割杆２１４ａと第４の半割杆２１４ｂの先端、すなわち第１の綴杆２１２および第２の綴杆２１４の頂部において、綴杆係止部２５０が形成されている。【００８７】
前記綴杆を構成する第１の綴杆２１２及び第２の綴杆２１４は、断面円形状金属製線材を、綴杆係止部２５０を外す方向（図３７のＯ1及びＯ2の方向）にのばし、且つ中央部分を押さえることによって綴杆を閉じる方向に対してわん曲させて形成されている。そして、第１の綴杆２１２及び第２の綴杆２１４は、中央が綴杆を開く方向（第１の半割杆２１２ａ及び第３の半割杆２１４ａは、図３７のＯ3方向、第２の半割杆２１２ｂ及び第４の半割杆２１４ｂは、図３７のＯ4方向）に膨み且つ両端が綴杆を閉じる方向にわん曲した断面略空豆（ビーンズ）型の形状に形成されている。
すなわち、環状の第１の綴杆２１２及び第２の綴杆２１４を開閉方向に見て、第１の綴杆２１２及び第２の綴杆２１４の内側は波状起伏面が形成され、第１の綴杆２１２及び第２の綴杆２１４の外側は半円弧状に形成されている。そして、第１の綴杆２１２及び第２の綴杆２１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙の綴じ穴に対応しにくく、用紙の綴じ穴を傷つけるおそれがある。
ところが、綴杆を構成する第１の綴杆２１２及び第２の綴杆２１４は、細いならば綴杆係止部２５０の嵌合がうまくゆかないときがある。
そのために、第１の綴杆２１２及び第２の綴杆２１４の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部２５０を外す方向に広げて、綴杆係止部２５０の嵌合を完全にできるように形成している。【００８８】
この実施の形態においては、第１の綴杆２１２を構成する第１の半割杆２１２ａ及び第２の半割杆２１２ｂと第２の綴杆２１４を構成する第３の半割杆２１４ａ及び第４の半割杆２１４ｂとは、同じ形状、すなわち曲率（曲率半径）が同じものである。
第１の綴杆２１２を構成する第１の半割杆２１２ａ及び第２の半割杆２１２ｂは、第１の半割杆２１２ａの自由端の綴杆係止部２５０と、第２の半割杆２１２ｂの自由端の綴杆係止部２５０とを係止することにより、環状に連結される。
また、第２の綴杆２１４を構成する第３の半割杆２１４ａと第４の半割杆２１４ｂとは、第３の半割杆２１４ａの自由端の綴杆係止部２５０と、第４の半割杆２１４ｂの自由端の綴杆係止部２５０とを係止することにより、環状に連結される。【００８９】
第１の綴杆２１２及び第２の綴杆２１４は、それぞれの基部が第１の作動片２３０及び第２の作動片２３２に固着された部分（４箇所）を通る左右軸Ｙ1，Ｙ2および前後軸Ｘ1，Ｘ2（第３７図図示）を含む平面Ｐxyと垂直な平面を構成するように、第１の作動片２３０と第２の作動片２３２より立設されている。そして、第１の綴杆２１２の軸Ｚ1（第３７図図示）が構成する円形面と第２の綴杆２１４の軸Ｚ2（第３７図図示）が構成する円形面とは、平行で、且つ、第１の綴杆２１２と第２の綴杆２１４が第１の作動片２３０と第２の作動片２３２と固着された部位を通る平面Ｐxyと垂直となるように構成されている。【００９０】
前記綴杆は、第４６図〜第５２図に示すように、直接指で閉じられる主綴杆たる第１の綴杆２１２と、該第１の綴杆２１２の閉じる方向に向けての作動に追動する副綴杆たる第２の綴杆２１４とにより構成されている。
そして、第１の綴杆２１２と第２の綴杆２１４とは、同一方向（図４１のＯ1及びＯ2方向）に向けて、その綴杆係止部２５０を指で外すことができるように構成されている。
第１の綴杆２１２を構成する第１の半割杆２１２ａの先端に形成された綴杆係止部２５０を構成する先端の凸部２５２ａ及びその凸部２５２ａに続く凹部２５２ｂと、第２の半割杆２１２ｂの綴杆係止部２５０を構成する先端の凸部２５４ａ及びその先端の凸部２５４ａに続く凹部２５４ｂとは、第１の綴杆２１２を閉じたとき係合するように逆方向に向けて突き出しあるいは凹み形成されている。
凸部２５２ａ及び凸部２５４ａは、それぞれ先端から内側に向けて湾曲凸面を有する傾斜対向面２５２ｃ及び湾曲凸面を有する傾斜対向面２５４ｃと、傾斜対向面２５２ｃ及び傾斜対向面２５４ｃに続き、凸部２５２ａ及び凸部２５４ａの後端（基部側）から除々に先端側（すなわち閉じる方向）に入り込んだ傾斜対向面２５２ｄ及び傾斜対向面２５４ｄが形成され、後端近傍が鉤状で、全体として鉤鼻状に形成されている。
凹部２５２ｂは、基部側から先端に向けて湾曲凹面を有する傾斜対向面を備え、凹部２５４ｂは、同様に基部側から先端に向けて湾曲凹面を有する傾斜対向面を備えている。
また、第２の綴杆２１４を構成する第３の半割杆２１４ａの先端に形成された綴杆係止部２５０を構成する凸部２５６ａ及びその凸部２５６ａに続く凹部２５６ｂと、第４の半割杆２１４ｂの綴杆係止部２５０を構成する先端の凸部２５８ａ及びその先端の凸部２５８ａに続く凹部２５８ｂとは、第２の綴杆２１４を閉じたとき係合するように逆方向に向けて突き出しあるいは凹み形成されている。
凸部２５６ａ及び凸部２５８ａは、それぞれ先端から内側に向けて湾曲凸面を有する傾斜対向面２５６ｃ及び湾曲凸面を有する傾斜対向面２５８ｃと、傾斜対向面２５６ｃ及び傾斜対向面２５８ｃに続き、凸部２５６ａ及び凸部２５８ａの後端（基部側）から除々に先端側（すなわち閉じる方向）に入り込んだ傾斜対向面２５６ｄ及び傾斜対向面２５８ｄが形成され、後端近傍が鉤状で、全体として鉤鼻状に形成されている。
凹部２５６ｂは、基部側から先端に向けて湾曲凹面を有する傾斜対向面を備え、凹部２５８ｂは、同様に湾曲凹面を有する傾斜対向面を備えている。【００９１】
第１の半割杆２１２ａの綴杆係止部２５０を構成する凸部２５２ａ及び第３の半割杆２１４ａの綴杆係止部２５０を構成する凸部２５６ａは、同一方向に向けて突き出し設けられ、先端部から基部側にかけて形成された湾曲凸面を備え、両方が同一形状に形成されている。
また、第１の半割杆２１２ａの綴杆係止部２５０を構成する凹部２５２ｂ及び第３の半割杆２１４ａの綴杆係止部２５０を構成する凹部２５６ｂは、同一方向に向けて凹み形成され、凸部２５４ａ及び凸部２５６ａの後端から基部側にかけて形成された湾曲凹面を備え、両方が同一形状に形成されている。
第２の半割杆２１２ｂの綴杆係止部２５０を構成する凸部２５４ａ及び第４の半割杆２１４ｂの綴杆係止部２５０を構成する凸部２５８ａは、同一方向に向けて突き出し設けられ、先端部から基部側にかけて形成された湾曲凸面を備え、両方が同一形状に形成されている。
また、第２の半割杆２１２ｂの綴杆係止部２５０を構成する凹部２５４ｂ及び第４の半割杆２１４ｂの綴杆係止部２５０を構成する凹部２５８ｂは、同一方向に向けて凹み形成され、凸部２５４ａ及び凸部２５８ａの後端から基部側にかけて形成された湾曲凹面を備え、両方が同一形状に形成されている。
第１の半割杆２１２ａの凸部２５２ａ及び凹部２５２ｂと第２の半割杆２１２ｂの凸部２５４ａ及び凹部２５４ｂとは点対称に形成され、第３の半割杆２１４ａの凸部２５６ａ及び凹部２５６ｂと第４の半割杆２１４ｂの凸部２５８ａ及び凹部２５８ｂとは点対称に形成されている。【００９２】
第１の綴杆２１２の凸部２５２ａの傾斜対向面２５２ｃ及び凹部２５４ｂの傾斜対向面は、第１の綴杆２１２の軸方向とは斜交するように形成され、開閉するときには、傾斜対向面２５２ｃと凹部２５４ｂの傾斜対向面とが一点を共有し合う内接関係で接する。
第１の綴杆１２の凸部２５２ａの傾斜対向面２５２ｃ及び凸部２５４ａの傾斜対向面２５４ｃは、第１の綴杆２１２の軸方向とは斜交するように形成され、開閉するときには、傾斜対向面２５２ｃと傾斜対向面２５４ｃとが一点を共有し合う外接関係で接する。
第２の綴杆２１４の凸部２５６ａの傾斜対向面２５６ｃ及び凹部２５８ｂの傾斜対向面は、第２の綴杆２１４の軸方向とは斜交するように形成され、開閉するときには、傾斜対向面２５６ｃと凹部２５８ｂの傾斜対向面とが一点を共有し合う内接関係で接する。
第２の綴杆２１４の凸部２５６ａの傾斜対向面２５６ｃ及び凸部２５８ａの傾斜対向面２５８ｃは、第２の綴杆２１４の軸方向とは斜交するように形成され、開閉するときには傾斜対向面２５６ｃと傾斜対向面２５８ｃとが一点を共有し合う外接関係で接する。【００９３】
主綴杆たる第１の綴杆２１２を２本の指で挟んで綴杆を閉じ始めるとき、第２の綴杆２１４の第３の半割杆２１４ａの凸部２５６ａと第２の綴杆２１４の第４の半割杆２１４ｂの凹部２５８ｂとが当接する前に（図４９参照）、第１の綴杆２１２の第１の半割杆２１２ａの凸部２５２ａと第１の綴杆２１２の第２の半割杆２１２ｂの凸部２５４ａとが当接し、更に第１の綴杆２１２を閉じるように作動させると、第１の綴杆２１２の第１の半割杆２１２ａの凹部２５２ｂが第２の半割杆２１２ｂの凸部２５４ａ上を摺動するとともに、第１の綴杆２１２の第１の半割杆２１２ａの凸部２５２ａが第２の半割杆２１２ｂの凹部２５４ｂに嵌合される正規の係止位置を通り過ぎて、第１の半割杆２１２ａの凸部２５２ａが第２の半割杆２１２ｂの凹部２５４ｂの傾斜対向面上を摺動してずり上がる（図５０参照）。
このように、第１の綴杆２１２を閉じる方向に作動させると、第２の綴杆２１４の第３の半割杆２１４ａの凸部２５６ａと第２の綴杆２１４の第４の半割杆２１４ｂの凸部２５８ａとが当接し、更に、第１の綴杆２１２を閉じるように作動させると、第２の綴杆２１４の第３の半割杆２１４ａの凸部２５６ａが第４の半割杆２１４ｂの凸部２５８ａの傾斜対向面２５８ｃ上を摺動し（図４９参照）、更に第１の綴杆２１２の第１の半割杆２１２ａの凸部２５２ａが第２の半割杆２１２ｂの凹部２５４ｂの傾斜対向面をずり上がると、第２の綴杆２１４の第３の半割杆２１４ａの凸部２５６ａ（第４の半割杆２１４ｂの凸部２５８ａ）が第４の半割杆２１４ｂの凹部２５８ｂ（第３の半割杆２１４ａの凹部２５６ｂ）に嵌まり込み嵌合する（図５０参照）。
その後、第１の綴杆２１２から指を離し閉じる力を解放すると、開閉部材２４０の作用により第１の綴杆２１２はわずかに開く方向に逆戻りして、第１の綴杆２１２は、第２の綴杆２１４と同様に、第１の半割杆２１２ａの凸部２５２ａ（第２の半割杆２１２ｂの凸部２５４ａ）が第２の半割杆２１２ｂの凹部２５４ｂ（第１の半割杆２１２ａの凹部２５２ｂ）に嵌まり込み嵌合する（図５１参照）。【００９４】
綴杆を閉じるとき、第１の作動片２３０及び第２の作動片２３２は、山折り状態（図４５参照）から徐々に平面状態（中立状態）となり、更に平面状態（中立状態）から谷折り状態（図４０参照）に変わるとともに、同列に並んだ状態から、一旦綴杆係止部２５０の外れる方向（第１の作動片２３０はＯ1方向、第２の作動片２３２はＯ2方向）に移動して、たがいちがいに並んだ状態となり（図５０参照）、その後逆戻りして同列に並ぶ。
それによって、移動規制部を構成する第１の作動片２３０の規制凸起２３０ｇが第２の作動片２３２の規制凹部２３２ｆ内を移動して、規制凹部２３２ｆにおける綴杆係止部２５０の外れる方向とは反対側の端縁に当接し、且つ移動規制部を構成する第２の作動片２３２の規制凸起２３２ｇが第１の作動片２３０の規制凹部２３０ｆ内を移動して、規制凹部２３０ｆにおける綴杆係止部２５０の外れる方向とは反対側の端縁に当接する（図５０参照）。そのために、綴杆を閉じるとき、第１の綴杆２１２の第１の半割杆２１２ａの凸部２５２ａが第２の半割杆２１２ｂの凹部２５４ｂに嵌合される正規の停止位置を通り過ぎて、第１の半割杆２１２ａの凸部２５２ａが第２の半割杆２１２ｂの凹部２５４ｂの傾斜対向面上を摺動してずり上がりオーバーランするとき、第１の綴杆２１２の移動距離を規制して適宜な位置でオーバーランが停止され、第１の綴杆２１２の綴杆係止部２５０から指を外せば開閉部材２４０の元の状態に戻ろうとする力が作用して、第１の作動片２３０及び第２の作動片２３２は、一旦綴杆係止部２５０の外れる方向（第１の作動片２３０はＯ1方向、第２の作動片２３２はＯ2方向）に移動してたがいちがいに並んだ状態から、逆戻りして同列に並び、綴杆係止部２５０が嵌合する（図３９及び４０参照）。【００９５】
このように、主綴杆たる第１の綴杆２１２を閉じ始めると、直接指で閉じられない副綴杆たる第２の綴杆２１４が閉じる方向に移動を始め、更に第１の綴杆２１２が閉じて正規の係止位置を通り過ぎるまで移動すると、第２の綴杆２１４の係合が進み第１の綴杆２１２より先に第２の綴杆２１４が完全に係止されるので、直接指で閉じられない副綴杆たる第２の綴杆２１４が確実に係止された後、主綴杆たる第１の綴杆２１２が確実に係止される。
したがって、第１の綴杆２１２を指で摘んで先に閉じる方向に移動させたときに、オーバーランするように第１の綴杆２１２を摘まめば、確実に第２の綴杆２１４を正規の位置に係止でき、第１の綴杆２１２の操作のみで、閉じることができる。
このように、第１の綴杆２１２を指で操作することにより第２の綴杆２１４を閉じることができるので、ワンタッチ綴具としての利便性が高い。【００９６】
また、第１の綴杆２１２の頂部を指でねじることにより第１の綴杆２１２の綴杆係止部２５０を外したとき、第１の作動片２３０と第２の作動片２３２には、開閉部材２４０が元の状態に戻ろうとする力、すなわち一方の固定先端部２４２ａと他方の固定先端部２４２ｂとが、図３６（Ａ）に示すように、巻線部２４４の円周方向に平行であった元の状態に戻ろうとするように力が働くことにより、第１の綴杆２１２は開く。
そして、第１の綴杆２１２及び第２の綴杆２１４は、その綴杆係止部２５０が外され（図４１参照）、第１の作動片２３０及び第２の作動片２３２は、谷折り状態から徐々に平面状態（中立状態）となり更に平面状態から山折り状態に変わるとともに、綴杆係止部２５０の外れる方向（第１の作動片２３０はＯ1方向、第２の作動片２３２はＯ2方向）に移動する。それによって、移動規制部を構成する第１の作動片２３０の規制凸起２３０ｇが第２の作動片２３２の規制凹部２３２ｆ内を移動して、規制凹部２３２ｆにおける綴杆係止部２５０の外れる方向とは反対側の端縁に突き当たり、且つ移動規制部を構成する第２の作動片２３２の規制凸起２３２ｇが第１の作動片２３０の規制凹部２３０ｆ内を移動して、規制凹部２３０ｆにおける綴杆係止部２５０の外れる方向とは反対側の端縁に突き当たる。
第１の綴杆２１２から手を離すと、第１の綴杆２１２及び第２の綴杆２１４は、開閉部材２４０の一方の固定先端部２４２ａと他方の固定先端部２４２ｂとが、図３６（Ａ）に示すように、巻線部２４４の円周方向に平行であった元の状態に戻ろうとするように第１の作動片２３０及び第２の作動片２３２に力を働かせることにより、更に開き（第１の半割杆２１２ａ及び第３の半割杆２１４ａはＯ3方向、第２の半割杆２１２ｂ及び第４の半割杆２１４ｂはＯ4方向）、且つ、開閉部材２４０の固定先端部２４２ａと他方の固定先端部２４２ｂとを平面視平行とするように力が働くことにより、第１の作動片２３０と第２の作動片２３２とは、逆方向に移動する（図４４参照）。
すなわち、作動部材２１８及び開閉部材２４０は、第２の綴杆２１４を構成する第３の半割杆２１４ａの凸部２５６ａと第４の半割杆２１４ｂの凸部２５８ａとを開く方向に作用し、そして、第１の綴杆２１２の第１の半割杆２１２ａの凸部２５２ａと第２の半割杆２１２ｂの凸部２５４ａとを引き離す方向に作用するとともに、第２の綴杆２１４を構成する第３の半割杆２１４ａの凸部２５６ａと第４の半割杆２１４ｂの凸部２５８ａとを引き離すように作用する。【００９７】
このように、この実施の形態においては、第１の綴杆２１２又は第２の綴杆２１４の頂部を指でねじることにより、第１の綴杆２１２の第１の半割杆２１２ａおよび第２の半割杆２１２ｂの綴杆係止部２５０と、第２の綴杆２１４の第３の半割杆２１４ａおよび第４の半割杆２１４ｂの綴杆係止部２５０を外すことができる。【００９８】
また、第１の綴杆２１２の第１の半割杆２１２ａと第２の半割杆２１２ｂの綴杆係止部２５０および第２の綴杆２１４の第３の半割杆２１４ａと第４の半割杆２１４ｂの綴杆係止部２５０の係合を解除したとき、作動部材２１８は、開閉部材２４０の一方の固定先端部２４２ａと他方の固定先端部２４２ｂとが巻線部２４４の円周方向において近づこうとする力が働くことにより、第１の作動片２３０の突き合わせ縁２３０ａと第２の作動片２３２の突き合わせ縁２３２ａとが、山折り状態になる。【００９９】
次に、作動部材２１８を保持部材２１６の保持空間内に装填する方法について、主として図５２ないし５７に基づいて説明する。
まず、第１の作動片２３０を保持部材２１６内に装填し、次に第２の作動片２３２を保持部材２１６内に装填する。このとき、突出部２３０ｃが第１の貫通孔２２６（左右一対の貫通孔２２６のうち、一方の貫通孔２２６である平面視右側の貫通孔２２６）内に通り、突出部２３２ｃが、第２の貫通孔２２８（左右一対の貫通孔２２８のうち、一方の貫通孔２２８である平面視右側の貫通孔２２８）内に通り、係合部２３０ｄ及び係合部２３０ｅと係合部２３２ｄ及び係合部２３２eとは、第１の作動片２３０及び第２の作動片２３２の下側すなわち保持部材２１６の被綴じ物載置部２２２とは反対側に位置している。
そこで、第１の作動片２３０の隙間２３４と第２の作動片２３２の隙間２３４との間に棒状治具Ｇを押し込み、第１の作動片２３０と第２の作動片２３２の間をあけるようにして、係合部２３０ｄ及び係合部２３０ｅと係合部２３２ｄ及び係合部２３２ｅとを第１の作動片２３０及び第２の作動片２３２の上側すなわち保持部材２１６の被綴じ物載置部２２２側に入れ込み、その後棒状治具Ｇを抜き、突き合わせ縁２３０ａと突き合わせ縁２３２ａとを突き合わせる。【０１００】
次に、開閉部材２４０を作動部材２１８に装填する方法について、図５８ないし６０に基づいて説明する。
固定先端部２４２ａ及び固定先端部２４２ｂが延ばされた側を、下側、すなわち保持部材２１６の被綴じ物載置部２２２とは反対側に位置させ、巻線部２４４の貫通孔内に開閉部材固定部２３６ｂ及び開閉部材固定部２３８ｂを挿入して、空隙部２３６ａと空隙部２３８ａとの間に開閉部材２４０を装填する。
固定先端部２４２ａのＬ字型の支持部位（中間部２４７ａ及び係止端部２４８ａ）を第１の作動片２３０側に延ばして第１の作動片２３０の挿入孔２３６ｄに挿入し、わずかにずらせて支持部２３６ｃに係止させる。
また、固定先端部２４２ｂのＬ字型の支持部位（中間部２４７ｂ及び係止端部２４８ｂ）を第２の作動片２３２側に延ばして第２の作動片２３２の挿入孔２３８ｄに挿入し、わずかにずらせて支持部２３８ｃに係止させる。【０１０１】
綴具２１０を表紙Ａに取り付けるには、保持壁２２４ａおよび保持壁２２４ｂの下端縁を接合して取付孔２２０，２２０にボルトナットにより取り付ければよい。
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。【０１０２】
次に、本発明にかかる別の実施の形態について、図６１ないし図６４に基づいて説明する。
この実施の形態の綴具１１０は、前記実施の形態の綴具１０と略同様の構成であるが、主として、綴杆の数が増加したことに伴う、保持部材の構成、作動部材の構成および開閉部材の構成が異なるので、それらを中心に以下説明する。【０１０３】
綴具１１０は、一対のそれぞれ略円環状の金属製の第１の綴杆１１２、第２の綴杆１１３、第３の綴杆１１４および第４の綴杆１１５と、前記第１の綴杆１１２および第４の綴杆１１５をそれぞれ間隔をおいて設けることができる長さを備えた保持部材１１６と、その表面に第１の綴杆１１２および第４の綴杆１１５が間隔をおいてそれぞれの基部が固定され、第１の綴杆１１２第２の綴杆１１３、第３の綴杆１１４および第４の綴杆１１５が前記保持部材１１６に固定されるように保持部材１１６の内側に可動自在に固定された作動部材１１８とを備える。【０１０４】
綴杆は、４穴タイプのために、第１の綴杆１１２、第２の綴杆１１３、第３の綴杆１１４および第４の綴杆１１５の４個の綴杆からなる。第１の綴杆１１２は、第１の半割杆１１２ａおよび第２の半割杆１１２ｂを備え、第２の綴杆１１３は、第３の半割杆１１３ａおよび第４の半割杆１１３ｂを備え、第３の綴杆１１４は、第５の半割杆１１４ａおよび第６の半割杆１１４ｂを備え、第４の綴杆１１５は、第７の半割杆１１５ａおよび第８の半割杆１１５ｂを備える。
そして、用紙Ｓに予め穿設された綴じ孔に挿通して、用紙Ｓを綴じることができるように、第１の半割杆１１２ａおよび第２の半割杆１１２ｂの先端と、第３の半割杆１１３ａおよび第４の半割杆１１３ｂの先端と、第５の半割杆１１４ａおよび第６の半割杆１１４ｂの先端と、第７の半割杆１１５ａおよび第８の半割杆１１５ｂの先端とにおいて、すなわち第１の綴杆１１２、第２の綴杆１１３、第３の綴杆１１４および第４の綴杆１１５の頂部において、綴杆係止部１５０が形成されている。
第１の綴杆１１２を構成する第１の半割杆１１２ａと第２の半割杆１１２ｂとは、第１の半割杆１１２ａの綴杆係止部１５０と、第２の半割杆１１２ｂの綴杆係止部１５０とを係止することにより、環状に係合される。
また、第３の綴杆１１４を構成する第５の半割杆１１４ａと第６の半割杆１１４ｂとは、第５の半割杆１１４ａの綴杆係止部１５０と第６の半割杆１１４ｂの綴杆係止部１５０とを係止することにより、環状に係合される。【０１０５】
保持部材１１６は、第１の綴杆１１２、第２の綴杆１１３、第３の綴杆１１４および第４の綴杆１１５を所定の間隔をおいて設けることができる長さを備える平面略長方形で、その両端、すなわち表紙Ａに取り付ける取付孔１２０近傍においては、平面略半円弧状に形成されている。
保持部材１１６は、被綴じ物載置部１２２の内側には保持空間を備え、その空間に作動部材１１８等を収容するように構成されている。
保持部材１１６の被綴じ物載置部１２２の両端には、その長手方向に略々その一端から他端に亘って、作動部材１１８を摺動自在に保持する保持壁が設けられている。この実施の形態においては、保持部材１１６の長手方向において、第１の綴杆１１２、第２の綴杆１１３、第３の綴杆１１４および第４の綴杆１１５のそれぞれの外側近傍より内部に亘って略全体において垂下されるように、保持壁１２４ａおよび保持壁１２４ｂが連設され、保持壁１２４ａと保持壁１２４ｂとは平行で略同一の形状の板状である。そして、この保持壁１２４ａおよび保持壁１２４ｂと被綴じ物載置部１２２によって囲繞された保持空間内に、後に詳しく説明する作動部材１１８等が収容される。【０１０６】
保持部材１１６の被綴じ物載置部１２２には、第１の綴杆１１２と第２の綴杆１１３とを、一定の間隔（日本工業規格等で決められている一定の長さ）をおいて遊貫するための、第１の貫通孔１２６と第２の貫通孔１２７がそれぞれ穿設されるとともに、第３の綴杆１１４と第４の綴杆１１５とを、一定の間隔（日本工業規格等で決められている一定の長さ）をおいて遊貫するための、第３の貫通孔１２８及び第４の貫通孔１２９がそれぞれ穿設されている。
第１の貫通孔１２６及び第２の貫通孔１２７と第３の貫通孔１２８及び第４の貫通孔１２９とは、それぞれの綴杆を構成する半割杆に対応して、保持部材１１６の幅方向において左右に分かれて一定の間隔をおいて、２つずつ穿設されている。【０１０７】
作動部材１１８を構成する作動片は、前記実施の形態の綴具の作動片とは異なり、二対の作動片を有する。
前記第１の半割杆１１２ａ及び第３の半割杆１１３ａの基部が固定された第１の作動片１３０と第２の半割杆１１２ｂ及び第４の半割杆１１３ｂの基部が固定された第２の作動片１３１とは、前記実施の形態の第１の作動片３０および第２の作動片３２と略同一に形成されている。また、第５の半割杆１１４ａ及び第７の半割杆１１５ａの基部が固定された第３の作動片１３２と第６の半割杆１１４ｂ及び第８の半割杆１１５ｂの基部が固定された第４の作動片１３３とは、前記実施の形態の第１の作動片３０及び第２の作動片３２と略同一に形成されている。【０１０８】
開閉部材は、前記実施の形態の綴具においては、一対の作動片に対応して、１個が装填されていたが、この実施の形態の綴具においては、二対の作動片に対応して、それぞれ１個ずつ、合計２個の開閉部材１４０及び１４１が装填されている。【０１０９】
次に、本発明にかかる別の実施の形態について、図６５ないし図６８に基づいて説明する。
この実施の形態の綴具３１０は、前記実施の形態の綴具２１０と略同様の構成であるが、主として、綴杆の数が増加したことに伴う、保持部材の構成、作動部材の構成および開閉部材の構成が異なるので、それらを中心に以下説明する。【０１１０】
綴具３１０は、一対のそれぞれ略円環状の金属製の第１の綴杆３１２、第２の綴杆３１３、第３の綴杆３１４および第４の綴杆３１５と、前記第１の綴杆３１２ないし第４の綴杆３１５をそれぞれ間隔をおいて設けることができる長さを備えた保持部材３１６と、その表面に第１の綴杆３１２ないし第４の綴杆３１５が間隔をおいてそれぞれの基部が固定され、第１の綴杆３１２第２の綴杆３１３、第３の綴杆３１４および第４の綴杆３１５が前記保持部材３１６に固定されるように保持部材３１６の内側に可動自在に固定された作動部材３１８とを備える。【０１１１】
綴杆は、４穴タイプのために、第１の綴杆３１２、第２の綴杆３１３、第３の綴杆３１４および第４の綴杆３１５の４個の綴杆からなる。第１の綴杆３１２は、第１の半割杆３１２ａおよび第２の半割杆３１２ｂを備え、第２の綴杆３１３は、第３の半割杆３１３ａおよび第４の半割杆３１３ｂを備え、第３の綴杆３１４は、第５の半割杆３１４ａおよび第６の半割杆３１４ｂを備え、第４の綴杆３１５は、第７の半割杆３１５ａおよび第８の半割杆３１５ｂを備える。
そして、用紙Ｓに予め穿設された綴じ孔に挿通して、用紙Ｓを綴じることができるように、第１の半割杆３１２ａおよび第２の半割杆３１２ｂの先端と、第３の半割杆３１３ａおよび第４の半割杆３１３ｂの先端と、第５の半割杆３１４ａおよび第６の半割杆３１４ｂの先端と、第７の半割杆３１５ａおよび第８の半割杆３１５ｂの先端とにおいて、すなわち第１の綴杆３１２、第２の綴杆３１３、第３の綴杆３１４及び第４の綴杆３１５の頂部において、綴杆係止部３５０が形成され、綴杆係止部３５０を係止することにより環状に係合される。【０１１２】
前記綴杆を構成する第１の綴杆３１２、第２の綴杆３１３、第３の綴杆３１４及び第４の綴杆３１５は、断面円形状金属製線材を、綴杆係止部３５０を外す方向（図６６のＯ1及びＯ2の方向）にのばし、且つ中央部分を押さえることによって綴杆を閉じる方向に対してわん曲させて形成されている。そして、第１の綴杆３１２、第２の綴杆３１３、第３の綴杆３１４及び第４の綴杆３１５は、中央が綴杆を開く方向（第１の半割杆３１２ａ、第３の半割杆３１３ａ、第５の半割杆３１４ａ及び第７の半割杆３１５ａは、図６６のＯ3方向、第２の半割杆３１２ｂ、第４の半割杆３１３ｂ、第６の半割杆３１４ｂ及び第８の半割杆３１５ｂは、図６６のＯ4方向）に膨み且つ両端が綴杆を閉じる方向にわん曲した断面略空豆（ビーンズ）型の形状に形成されている。
すなわち、環状の第１の綴杆３１２、第２の綴杆３１３、第３の綴杆３１４及び第４の綴杆３１５を開閉方向に見て、第１の綴杆３１２、第２の綴杆３１３、第３の綴杆３１４及び第４の綴杆３１５の内側は波状起伏面が形成され、第１の綴杆３１２、第２の綴杆３１３、第３の綴杆３１４及び第４の綴杆３１５の外側は半円弧状に形成されている。そして、第１の綴杆３１２、第２の綴杆３１３、第３の綴杆３１４及び第４の綴杆３１５は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙の綴じ穴に対応しにくく、用紙の綴じ穴を傷つけるおそれがある。
ところが、綴杆を構成する第１の綴杆３１２、第２の綴杆３１３、第３の綴杆３１４及び第４の綴杆３１５は、細いならば綴杆係止部３５０の嵌合がうまくゆかないときがある。
そのために、第１の綴杆３１２、第２の綴杆３１３、第３の綴杆３１４及び第４の綴杆３１５の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部３５０を外す方向に広げて、綴杆係止部３５０の嵌合を完全にできるように形成している。【０１１３】
保持部材３１６は、第１の綴杆３１２、第２の綴杆３１３、第３の綴杆３１４および第４の綴杆３１５を所定の間隔をおいて設けることができる長さを備える平面略長方形で、その両端、すなわち表紙Ａに取り付ける取付孔３２０近傍においては、平面略半円弧状に形成されている。
保持部材３１６は、被綴じ物載置部３２２の内側には保持空間を備え、その空間に作動部材３１８等を収容するように構成されている。
保持部材３１６の被綴じ物載置部３２２の両端には、その長手方向に略々その一端から他端に亘って、作動部材３１８を摺動自在に保持する保持壁が設けられている。この実施の形態においては、保持部材３１６の長手方向において、第１の綴杆３１２、第２の綴杆３１３、第３の綴杆３１４および第４の綴杆３１５のそれぞれの外側近傍より内部に亘って略全体において垂下されるように、保持壁３２４ａおよび保持壁３２４ｂが連設され、保持壁３２４ａと保持壁３２４ｂとは平行で略同一の形状の板状である。そして、この保持壁３２４ａおよび保持壁３２４ｂと被綴じ物載置部３２２によって囲繞された保持空間内に、後に詳しく説明する作動部材３１８等が収容される。【０１１４】
保持部材３１６の被綴じ物載置部３２２には、第１の綴杆３１２と第２の綴杆３１３とを、一定の間隔（日本工業規格等で決められている一定の長さ）をおいて遊貫するための、第１の貫通孔３２６と第２の貫通孔３２７がそれぞれ穿設されるとともに、第３の綴杆３１４と第４の綴杆３１５とを、一定の間隔（日本工業規格等で決められている一定の長さ）をおいて遊貫するための、第３の貫通孔３２８及び第４の貫通孔３２９がそれぞれ穿設されている。
第１の貫通孔３２６及び第２の貫通孔３２７と第３の貫通孔３２８及び第４の貫通孔３２９とは、それぞれの綴杆を構成する半割杆に対応して、保持部材３１６の幅方向において左右に分かれて一定の間隔をおいて、２つずつ穿設されている。【０１１５】
作動部材３１８を構成する作動片は、前記実施の形態の綴具の作動片とは異なり、二対の作動片を有する。
前記第１の半割杆３１２ａ及び第３の半割杆３１３ａの基部が固定された第１の作動片３３０と第２の半割杆３１２ｂ及び第４の半割杆３１３ｂの基部が固定された第２の作動片３３１とは、前記実施の形態の第１の作動片２３０および第２の作動片２３２と略同一に形成されている。また、第５の半割杆３１４ａ及び第７の半割杆３１５ａの基部が固定された第３の作動片３３２と第６の半割杆３１４ｂ及び第８の半割杆３１５ｂの基部が固定された第４の作動片３３３とは、前記実施の形態の第１の作動片２３０及び第２の作動片２３２と略同一に形成されている。【０１１６】
開閉部材は、前記実施の形態の綴具においては、一対の作動片に対応して、１個が装填されていたが、この実施の形態の綴具においては、二対の作動片に対応して、それぞれ１個ずつ、合計２個の開閉部材３４０及び３４１が装填されている。【０１１７】
次に、本発明にかかる別の実施の形態について、図６９ないし図７２に基づいて説明する。
この実施の形態の綴具４１０は、前記実施の形態の綴具２１０と略同様の構成であるが、主として、綴杆の数が増加したことに伴う、保持部材の構成、作動部材の構成および開閉部材の構成が異なるので、それらを中心に以下説明する。【０１１８】
綴具４１０は、一対のそれぞれ略円環状の金属製の第１の綴杆４１２、第２の綴杆４１３及び第３の綴杆４１４と、前記第１の綴杆４１２ないし第３の綴杆４１４をそれぞれ間隔をおいて設けることができる長さを備えた保持部材４１６と、その表面に第１の綴杆４１２ないし第３の綴杆４１４が間隔をおいてそれぞれの基部が固定され、第１の綴杆４１２、第２の綴杆４１３及び第３の綴杆４１４が前記保持部材４１６に固定されるように保持部材４１６の内側に可動自在に固定された作動部材４１８とを備える。【０１１９】
綴杆は、３穴タイプのために、第１の綴杆４１２、第２の綴杆４１３及び第３の綴杆４１４の３個の綴杆からなる。第１の綴杆４１２は、第１の半割杆４１２ａおよび第２の半割杆４１２ｂを備え、第２の綴杆４１３は、第３の半割杆４１３ａおよび第４の半割杆４１３ｂを備え、第３の綴杆４１４は、第５の半割杆４１４ａおよび第６の半割杆４１４ｂを備える。
そして、用紙Ｓに予め穿設された綴じ孔に挿通して、用紙Ｓを綴じることができるように、第１の半割杆４１２ａおよび第２の半割杆４１２ｂの先端と、第３の半割杆４１３ａおよび第４の半割杆４１３ｂの先端と、第５の半割杆４１４ａと第６の半割杆４１４ｂの先端とにおいて、すなわち第１の綴杆４１２、第２の綴杆４１３および第３の綴杆４１４の頂部において、綴杆係止部４５０が形成されている。【０１２０】
前記綴杆を構成する第１の綴杆４１２、第２の綴杆４１３及び第３の綴杆４１４は、断面円形状金属製線材を、綴杆係止部４５０を外す方向（図７０のＯ1及びＯ2の方向）にのばし、且つ中央部分を押さえることによって綴杆を閉じる方向に対してわん曲させて形成されている。そして、第１の綴杆４１２、第２の綴杆４１３及び第３の綴杆４１４は、中央が綴杆を開く方向（第１の半割杆４１２ａ、第３の半割杆４１３ａ及び第５の半割杆４１４ａは、図７０のＯ3方向、第２の半割杆４１２ｂ、第４の半割杆４１３ｂ、第６の半割杆４１４ｂは、図７０のＯ4方向）に膨み且つ両端が綴杆を閉じる方向にわん曲した断面略空豆（ビーンズ）型の形状に形成されている。
すなわち、環状の第１の綴杆４１２、第２の綴杆４１３及び第３の綴杆４１４を開閉方向に見て、第１の綴杆４１２、第２の綴杆４１３及び第３の綴杆４１４の内側は波状起伏面が形成され、第１の綴杆４１２、第２の綴杆４１３及び第３の綴杆４１４の外側は半円弧状に形成されている。そして、第１の綴杆４１２、第２の綴杆４１３及び第３の綴杆４１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙の綴じ穴に対応しにくく、用紙の綴じ穴を傷つけるおそれがある。
ところが、綴杆を構成する第１の綴杆４１２、第２の綴杆４１３及び第３の綴杆４１４は、細いならば綴杆係止部４５０の嵌合がうまくゆかないときがある。
そのために、第１の綴杆４１２、第２の綴杆４１３及び第３の綴杆４１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部４５０を外す方向に広げて、綴杆係止部４５０の嵌合を完全にできるように形成している。【０１２１】
保持部材４１６は、第１の綴杆４１２、第２の綴杆４１３及び第３の綴杆４１４を所定の間隔をおいて設けることができる長さを備える平面略長方形で、その両端、すなわち表紙Ａに取り付ける取付孔４２０近傍においては、平面略半円弧状に形成されている。
保持部材４１６は、被綴じ物載置部４２２の内側には保持空間を備え、その空間に作動部材４１８等を収容するように構成されている。
保持部材４１６の被綴じ物載置部４２２の両端には、その長手方向に略々その一端から他端に亘って、作動部材４１８を摺動自在に保持する保持壁が設けられている。この実施の形態においては、保持部材４１６の長手方向において、第１の綴杆４１２、第２の綴杆４１３及び第３の綴杆４１４のそれぞれの外側近傍より内部に亘って略全体において垂下されるように、保持壁４２４ａおよび保持壁４２４ｂが連設され、保持壁４２４ａと保持壁４２４ｂとは平行で略同一の形状の板状である。そして、この保持壁４２４ａおよび保持壁４２４ｂと被綴じ物載置部４２２によって囲繞された保持空間内に、後に詳しく説明する作動部材４１８等が収容される。【０１２２】
保持部材４１６の被綴じ物載置部４２２には、第１の綴杆４１２と第２の綴杆４１３とに、第３の綴杆４１４とを、一定の間隔（日本工業規格等で決められている一定の長さ）をおいて遊貫するための、第１の貫通孔４２６、第２の貫通孔４２７及び第３の貫通孔４２８がそれぞれ穿設されている。
第１の貫通孔４２６と第２の貫通孔４２７と第３の貫通孔４２８とは、それぞれの綴杆を構成する半割杆に対応して、保持部材４１６の幅方向において左右に分かれて一定の間隔をおいて、２つずつ穿設されている。【０１２３】
作動部材４１８を構成する作動片は、前記実施の形態の綴具２１０の作動片と同様に、左右一対の作動片を有する。
前記第１の半割杆４１２ａ、第３の半割杆４１３ａ及び第５の半割杆４１４ａの基部が固定された第１の作動片４３０と第２の半割杆４１２ｂ、第４の半割杆４１３ｂ及び第６の半割杆４１４ｂの基部が固定された第２の作動片４３２とは、前記実施の形態の第１の作動片２３０および第２の作動片２３２と略同一に形成されている。
第１の作動片４３０及び第２の作動片４３２は、二対の空隙部４３６ａ1と空隙部４３６ａ2及び空隙部４３８ａ1と空隙部４３８ａ2が形成され、且つ二対の開閉部材固定部４３６ｂ1と開閉部材固定部４３６ｂ2及び開閉部材固定部４３８ｂ1と開閉部材固定部４３８ｂ2の外側近傍において、第１の作動片４３０及び第２の作動片４３２の長手方向への移動を規制する移動規制部が、２つ形成されている。【０１２４】
開閉部材は、前記実施の形態の綴具においては、一対の作動片に対応して、１個が装填されていたが、この実施の形態の綴具においては、一対の作動片に、１個の開閉部材４４０を装填してもよく、また、合計２個の開閉部材４４０及び４４１を装填してもよい。【０１２５】
前記実施の形態によれば、一対の作動片には、保持部材に形成された貫通孔に通される突出部が形成されているので、作動片に綴杆の基部を例えばカシメ止めをしても作動片にかかるストレスを少なくするために面積を大きくすることができる。そのために、作動片全体の強度を増すことができる。
また、作動片の突出部を通す貫通孔と綴杆を通す貫通孔を共通にすることができるために、保持部材の構造を簡略化して製造コストの引き下げを図ることができる。
【図１】
0004637118.tif 000002
【図２】
0004637118.tif 000003
【図３】
0004637118.tif 000004
【図４】
0004637118.tif 000005
【図５】
0004637118.tif 000006
【図６】
0004637118.tif 000007
【図７】
0004637118.tif 000008
【図８】
0004637118.tif 000009
【図９】
0004637118.tif 000010
【図１０】
0004637118.tif 000011
【図１１】
0004637118.tif 000012
【図１２】
0004637118.tif 000013
【図１３】
0004637118.tif 000014
【図１４】
0004637118.tif 000015
【図１５】
0004637118.tif 000016
【図１６】
0004637118.tif 000017
【図１７】
0004637118.tif 000018
【図１８】
0004637118.tif 000019
【図１９】
0004637118.tif 000020
【図２０】
0004637118.tif 000021
【図２１】
0004637118.tif 000022
【図２２】
0004637118.tif 000023
【図２３】
0004637118.tif 000024
【図２４】
0004637118.tif 000025
【図２５】
0004637118.tif 000026
【図２６】
0004637118.tif 000027
【図２７】
0004637118.tif 000028
【図２８】
0004637118.tif 000029
【図２９】
0004637118.tif 000030
【図３０】
0004637118.tif 000031
【図３１】
0004637118.tif 000032
【図３２】
0004637118.tif 000033
【図３３】
0004637118.tif 000034
【図３４】
0004637118.tif 000035
【図３５】
0004637118.tif 000036
【図３６】
0004637118.tif 000037
【図３７】
0004637118.tif 000038
【図３８】
0004637118.tif 000039
【図３９】
0004637118.tif 000040
【図４０】
0004637118.tif 000041
【図４１】
0004637118.tif 000042
【図４２】
0004637118.tif 000043
【図４３】
0004637118.tif 000044
【図４４】
0004637118.tif 000045
【図４５】
0004637118.tif 000046
【図４６】
0004637118.tif 000047
【図４７】
0004637118.tif 000048
【図４８】
0004637118.tif 000049
【図４９】
0004637118.tif 000050
【図５０】
0004637118.tif 000051
【図５１】
0004637118.tif 000052
【図５２】
0004637118.tif 000053
【図５３】
0004637118.tif 000054
【図５４】
0004637118.tif 000055
【図５５】
0004637118.tif 000056
【図５６】
0004637118.tif 000057
【図５７】
0004637118.tif 000058
【図５８】
0004637118.tif 000059
【図５９】
0004637118.tif 000060
【図６０】
0004637118.tif 000061
【図６１】
0004637118.tif 000062
【図６２】
0004637118.tif 000063
【図６３】
0004637118.tif 000064
【図６４】
0004637118.tif 000065
【図６５】
0004637118.tif 000066
【図６６】
0004637118.tif 000067
【図６７】
0004637118.tif 000068
【図６８】
0004637118.tif 000069
【図６９】
0004637118.tif 000070
【図７０】
0004637118.tif 000071
【図７１】
0004637118.tif 000072
【図７２】
0004637118.tif 000073